(57)【要約】【課題】特定の対象項目とそれに連繋する対象項目との関係付けが可能な放射状関係図表を作成することができる関係図表作成システムを提供する。【解決手段】システムは、直接連繋数を対象項目毎に抽出する直接連繋数抽出手段を実行した後、連繋数が最も多い第１対象項目とそれに直接連繋する第２対象項目とのグループを放射状展開し、展開したグループを二次平面２２に配分し、次に、配分した対象項目を除く残余の対象項目のうち直接連繋数が２番目に多い第１対象項目とそれに直接連繋する第２対象項目とのグループを放射状展開し、展開したグループを二次平面２２に配分し、このように、配分した対象項目を除く残余の対象項目のうち直接連繋数が多い順にグループ化と放射状展開と配分とを繰り返すグループ展開配分手段と、展開したグループの対象項目どうしを関係線Ｌ５を介して結び放射状関係図表を作成する関係図表作成手段とを実行する。【選択図】図３０
2009181404.tif 000002
【特許請求の範囲】
【請求項１】
各種複数の対象項目から形成された関係図表を作成する関係図表作成システムにおいて、
前記関係図表作成システムには、所定の対象項目番号が設定されたそれら対象項目を個別に識別可能な各種複数の対象項目識別情報を含む対象項目データと、それら対象項目どうしを結ぶとともに前記対象項目どうしの各種複数の関係内容を識別可能な関係線を含む関係内容データと、前記関係線によって繋がる任意の対象項目どうしの連繋情報を含む連繋データとが格納され、
前記関係図表作成システムは、前記連繋データを参照してそれら対象項目が有する直接連繋数をそれら対象項目毎に抽出する直接連繋数抽出手段を実行した後、連繋数が最も多い第１対象項目とそれに直接連繋する第２対象項目とをグループ化しつつ、そのグループの第１対象項目を中心としてその周り方向に第２対象項目を並べてグループを放射状展開し、展開したグループを二次平面に配分し、次に、配分した対象項目を除く残余の対象項目のうち直接連繋数が２番目に多い第１対象項目とそれに直接連繋する第２対象項目とをグループ化しつつ、そのグループの第１対象項目を中心としてその周り方向に第２対象項目を並べてグループを放射状展開し、展開したグループを二次平面に配分し、このように、配分した対象項目を除く残余の対象項目のうち直接連繋数が多い順に前記グループ化と前記放射状展開と前記配分とを繰り返すグループ展開配分手段と、展開したグループの対象項目どうしを前記関係線を介して結ぶことで、対象項目どうしの関係を表示した放射状関係図表を作成する関係図表作成手段とを実行することを特徴とする関係図表作成システム。
【請求項２】
前記関係図表作成システムは、グループ化した各グループのうちの少なくとも１つのグループの放射状関係図表を作成可能であり、前記関係図表作成システムが、前記関係図表作成手段によって作成した放射状関係図表を出力する関係図表出力手段を有する請求項１記載の関係図表作成システム。
【請求項３】
前記グループ展開配分手段では、連繋数が最も多い第１対象項目のグループを前記二次平面の中央部分に配分し、連繋数が最も多い第１対象項目のグループの直近下位から直接連繋数の多い順に並ぶ第１対象項目のグループまでの各グループを、連繋数が最も多い第１対象項目のグループを中心としてそれから下位に向かって前記二次平面に螺旋を画くように配分する請求項１または請求項２に記載の関係図表作成システム。
【請求項４】
前記関係図表作成システムが、前記グループ展開配分手段によって展開した連繋数が最も多い第１対象項目のグループの直径を計算し、その直径と同じ長さの辺を有する四角形で前記二次平面を区分する二次平面区分手段を有し、前記グループ展開配分手段では、連繋数が最も多い第１対象項目のグループから直接連繋数の多い順に並ぶ第１対象項目のグループまでの各グループを、それら四角形の中に別々に配分する請求項３記載の関係図表作成システム。
【請求項５】
前記グループ展開配分手段では、前記第１対象項目の周り方向外方に複数の円周を仮想しつつ、それら円周上に前記第２対象項目を配置し、前記第１対象項目からその周り方向外方へ向かうにつれて前記円周上に配置する第２対象項目の個数を次第に増加させる請求項１ないし請求項４いずれかに記載の関係図表作成システム。
【請求項６】
前記関係図表作成システムが、前記放射状関係図表を形成する対象項目の前記対象項目データをそれら対象項目毎に個別に出力する対象項目データ出力手段と、前記放射状関係図表を形成する関係線の前記関係内容データをそれら関係線毎に個別に出力する関係内容データ出力手段と、前記放射状関係図表を形成する対象項目どうしの前記連繋データを出力する連繋データ出力手段とを有する請求項１ないし請求項５いずれかに記載の関係図表作成システム。
【請求項７】
前記関係線には、前記第１対象項目から前記第２対象項目を指し示し、前記第１対象項目を関係元としつつ前記第２対象項目を関係先とする一方向第１関係線と、前記第２対象項目から前記第１対象項目を指し示し、前記第２対象項目を関係元としつつ前記第１対象項目を関係先とする一方向第２関係線と、前記第１対象項目と前記第２対象項目との双方向を指し示す双方向関係線とが含まれる請求項１ないし請求項６いずれかに記載の関係図表作成システム。
【請求項８】
前記対象項目データには、前記対象項目に関連する関連情報を参照可能な第１ハイパーリンクデータと、前記対象項目に関する第１テキストデータと、前記対象項目に関する第１数値データとが含まれる請求項１ないし請求項７いずれかに記載の関係図表作成システム。
【請求項９】
前記関係内容データには、前記関係内容に関連する関連情報を参照可能な第２ハイパーリンクデータと、前記関係内容に関する第２テキストデータと、前記関係内容に関する第２数値データとが含まれる請求項１ないし請求項８いずれかに記載の関係図表作成システム。
【請求項１０】
前記連繋データには、前記関係線によって繋がる対象項目のうちの少なくとも一方に関連する関連情報を参照可能な第３ハイパーリンクデータと、前記関係線によって繋がる対象項目のうちの少なくとも一方に関する第３テキストデータと、前記関係線によって繋がる対象項目のうちの少なくとも一方に関する第３数値データとが含まれる請求項１ないし請求項９いずれかに記載の関係図表作成システム。
【請求項１１】
前記関係図表作成システムが、前記対象項目データと前記関係内容データと前記連繋データとを改変するデータ改変手段を有する請求項１ないし請求項１０いずれかに記載の関係図表作成システム。
【請求項１２】
各種複数の対象項目から形成された関係図表を作成する関係図表作成方法において、
前記関係図表作成方法が、所定の対象項目番号が設定されたそれら対象項目を個別に識別可能な各種複数の対象項目識別情報を含む対象項目データと、それら対象項目どうしを結ぶとともに前記対象項目どうしの各種複数の関係内容を識別可能な関係線を含む関係内容データと、前記関係線によって繋がる任意の対象項目どうしの連繋情報を含む連繋データとを格納したデータベースを備え、
前記関係図表作成方法は、前記連繋データを参照してそれら対象項目が有する直接連繋数をそれら対象項目毎に抽出する直接連繋数抽出プロセスを実行した後、連繋数が最も多い第１対象項目とそれに直接連繋する第２対象項目とをグループ化しつつ、そのグループの第１対象項目を中心としてその周り方向に第２対象項目を並べてグループを放射状展開し、展開したグループを二次平面に配分し、次に、配分した対象項目を除く残余の対象項目のうち直接連繋数が２番目に多い第１対象項目とそれに直接連繋する第２対象項目とをグループ化しつつ、そのグループの第１対象項目を中心としてその周り方向に第２対象項目を並べてグループを放射状展開し、展開したグループを二次平面に配分し、このように、配分した対象項目を除く残余の対象項目のうち直接連繋数が多い順に前記グループ化と前記放射状展開と前記配分とを繰り返すグループ展開配分プロセスと、展開したグループの対象項目どうしを前記関係線を介して結ぶことで、対象項目どうしの関係を表示した放射状関係図表を作成する関係図表作成プロセスとを実行することを特徴とする関係図表作成方法。
【請求項１３】
前記関係図表作成方法は、グループ化した各グループのうちの少なくとも１つのグループの放射状関係図表を作成可能であり、前記関係図表作成方法が、前記関係図表作成手段によって作成した放射状関係図表を出力する関係図表出力プロセスを有する請求項１２記載の関係図表作成方法。
【請求項１４】
前記グループ展開配分プロセスでは、連繋数が最も多い第１対象項目のグループを前記二次平面の中央部分に配分し、連繋数が最も多い第１対象項目のグループの直近下位から直接連繋数の多い順に並ぶ第１対象項目のグループまでの各グループを、連繋数が最も多い第１対象項目のグループを中心としてそれから下位に向かって前記二次平面に螺旋を画くように配分する請求項１２または請求項１３に記載の関係図表作成方法。
【請求項１５】
前記関係図表作成方法が、前記グループ展開配分プロセスによって展開した連繋数が最も多い第１対象項目のグループの直径を計算し、その直径と同じ長さの辺を有する四角形で前記二次平面を区分する二次平面区分プロセスを有し、前記グループ展開配分プロセスでは、連繋数が最も多い第１対象項目のグループから直接連繋数の多い順に並ぶ第１対象項目のグループまでの各グループを、それら四角形の中に別々に配分する請求項１４記載の関係図表作成方法。
【請求項１６】
前記グループ展開配分プロセスでは、前記第１対象項目の周り方向外方に複数の円周を仮想しつつ、それら円周上に前記第２対象項目を配置し、前記第１対象項目からその周り方向外方へ向かうにつれて前記円周上に配置する第２対象項目の個数を次第に増加させる請求項１２ないし請求項１５いずれかに記載の関係図表作成方法。
【請求項１７】
前記関係図表作成方法が、前記放射状関係図表を形成する対象項目の前記対象項目データをそれら対象項目毎に個別に出力する対象項目データ出力プロセスと、前記放射状関係図表を形成する関係線の前記関係内容データをそれら関係線毎に個別に出力する関係内容データ出力プロセスと、前記放射状関係図表を形成する対象項目どうしの前記連繋データを出力する連繋データ出力プロセスとを実行する請求項１２ないし請求項１６いずれかに記載の関係図表作成方法。
【請求項１８】
前記関係図表作成方法が、前記対象項目データと前記関係内容データと前記連繋データとを改変するデータ改変プロセスを実行する請求項１２ないし請求項１７いずれかに記載の関係図表作成方法。
【発明の詳細な説明】
【技術分野】
【０００１】
本発明は、各種複数の対象項目から形成された関係図表を作成する関係図表作成システムおよび関係図表作成方法に関する。
【背景技術】
【０００２】
機械装置を構成する各種複数の部品をツリー構造に展開することで、機械装置の部品構成表を作成する生産管理システムがある（特許文献２参照）。この生産管理システムは、機械装置のデータ番号を０００とし、その直近下位に連なる第１部品の第１部品番号を１００，２００，３００・・・とするとともに、第１部品番号１００の直近下位に連なる第２部品の第２部品番号を１１０，１２０，１３０・・・とし、第２部品番号１１０の直近下位に連なる第３部品の第３部品番号を１１１，１１２，１１３・・・とする。なお、第１部品番号２００に連なる第２部品番号は、２１０，２２０，２３０・・・であり、第１部品番号３００に連なる第２部品番号は、３１０，３２０，３３０・・・である。また、第２部品番号２１０に連なる第３部品番号は、２１１，２１２，２１３・・・であり、第２部品番号３１０に連なる第３部品番号は、３１１，３１２，３１３・・・である。このシステムは、機械装置のデータ番号に第１部品番号をつなげ、第１部品番号に第２部品番号をつなげるとともに、第２部品番号に第３部品番号をつなげることで、機械装置を形成する複数の部品をツリー構造として展開することができる。
【特許文献１】特開２００４−６２５２６号公報
【発明の開示】
【発明が解決しようとする課題】
【０００３】
前記特許文献１に開示の生産管理システムは、機械装置の構成部品を部品番号で管理しており、部品番号によって特定された第１〜第３部品が番号順に並ぶから、第１部品の直近下位に特定の第２部品が連なり、その第２部品の直近下位に特定の第３部品が連なることになる。したがって、この生産管理システムでは、ツリー状に並ぶ第１〜第３部品が一義的に定義され、第１部品の下位に異なる種類の部品を配置することや第２部品の下位に異なる種類の部品を配置することができないのみならず、部品以外の他の対象項目を組み入れることができず、異なる種類の構成部品を自由に組み合わせた部品構成表や各種複数の対象項目を自由に組み合わせた構成表を作成することができない。また、この生産管理システムは、部品をツリー構造に展開することはできるが、特定の部品を中心として他の部品を放射状に配置した放射状の構成表を作成することはできず、特定の部品とその部品を中心としてそれに連繋する他の各種複数の部品との関係付けが可能な構成表を作成することができない。さらに、それら構成部品どうしの関係内容が不明であり、作成された部品構成表においてそれら構成部品どうしの関係内容を把握することができない。
【０００４】
本発明の目的は、各種複数の対象項目どうしを自由に連繋させつつ、特定の対象項目とその対象項目を中心としてそれに連繋する各種複数の対象項目との関係付けが可能な放射状関係図表を作成することができる関係図表作成システムおよび関係図表作成方法を提供することにある。本発明の他の目的は、対象項目どうしの関係内容を把握することが可能な放射状関係図表を作成することができる関係図表作成システムおよび関係図表作成方法を提供することにある。
【課題を解決するための手段】
【０００５】
前記課題を解決するための本発明の第１の前提は、各種複数の対象項目から形成された関係図表を作成する関係図表作成システムである。
【０００６】
前記第１の前提における本発明の特徴として、関係図表作成システムには、所定の対象項目番号が設定されたそれら対象項目を個別に識別可能な各種複数の対象項目識別情報を含む対象項目データと、それら対象項目どうしを結ぶとともに対象項目どうしの各種複数の関係内容を識別可能な関係線を含む関係内容データと、関係線によって繋がる任意の対象項目どうしの連繋情報を含む連繋データとが格納され、関係図表作成システムは、連繋データを参照してそれら対象項目が有する直接連繋数をそれら対象項目毎に抽出する直接連繋数抽出手段を実行した後、連繋数が最も多い第１対象項目とそれに直接連繋する第２対象項目とをグループ化しつつ、そのグループの第１対象項目を中心としてその周り方向に第２対象項目を並べてグループを放射状展開し、展開したグループを二次平面に配分し、次に、配分した対象項目を除く残余の対象項目のうち直接連繋数が２番目に多い第１対象項目とそれに直接連繋する第２対象項目とをグループ化しつつ、そのグループの第１対象項目を中心としてその周り方向に第２対象項目を並べてグループを放射状展開し、展開したグループを二次平面に配分し、このように、配分した対象項目を除く残余の対象項目のうち直接連繋数が多い順にグループ化と放射状展開と配分とを繰り返すグループ展開配分手段と、展開したグループの対象項目どうしを関係線を介して結ぶことで、対象項目どうしの関係を表示した放射状関係図表を作成する関係図表作成手段とを実行することにある。
【０００７】
前記関係図表作成システムの一例として、関係図表作成システムは、グループ化した各グループのうちの少なくとも１つのグループの放射状関係図表を作成可能であり、関係図表作成システムが関係図表作成手段によって作成した放射状関係図表を出力する関係図表出力手段を有する。
【０００８】
前記関係図表作成システムの他の一例として、グループ展開配分手段では、連繋数が最も多い第１対象項目のグループを二次平面の中央部分に配分し、連繋数が最も多い第１対象項目のグループの直近下位から直接連繋数の多い順に並ぶ第１対象項目のグループまでの各グループを、連繋数が最も多い第１対象項目のグループを中心としてそれから下位に向かって二次平面に螺旋を画くように配分する。
【０００９】
前記関係図表作成システムの他の一例として、関係図表作成システムは、グループ展開配分手段によって展開した連繋数が最も多い第１対象項目のグループの直径を計算し、その直径と同じ長さの辺を有する四角形で二次平面を区分する二次平面区分手段を有し、グループ展開配分手段では、連繋数が最も多い第１対象項目のグループから直接連繋数の多い順に並ぶ第１対象項目のグループまでの各グループを、それら四角形の中に別々に配分する。
【００１０】
前記関係図表作成システムの他の一例として、グループ展開配分手段では、第１対象項目の周り方向外方に複数の円周を仮想しつつ、それら円周上に第２対象項目を配置し、第１対象項目からその周り方向外方へ向かうにつれて円周上に配置する第２対象項目の個数を次第に増加させる。
【００１１】
前記関係図表作成システムの他の一例として、関係図表作成システムは、放射状関係図表を形成する対象項目の対象項目データをそれら対象項目毎に個別に出力する対象項目データ出力手段と、放射状関係図表を形成する関係線の関係内容データをそれら関係線毎に個別に出力する関係内容データ出力手段と、放射状関係図表を形成する対象項目どうしの連繋データを出力する連繋データ出力手段とを有する。
【００１２】
前記関係図表作成システムの他の一例として、関係線には、第１対象項目から第２対象項目を指し示し、第１対象項目を関係元としつつ第２対象項目を関係先とする一方向第１関係線と、第２対象項目から第１対象項目を指し示し、第２対象項目を関係元としつつ第１対象項目を関係先とする一方向第２関係線と、第１対象項目と第２対象項目との双方向を指し示す双方向関係線とが含まれる。
【００１３】
前記関係図表作成システムの他の一例として、対象項目データには、対象項目に関連する関連情報を参照可能な第１ハイパーリンクデータと、対象項目に関する第１テキストデータと、対象項目に関する第１数値データとが含まれる。
【００１４】
前記関係図表作成システムの他の一例として、関係内容データには、関係内容に関連する関連情報を参照可能な第２ハイパーリンクデータと、関係内容に関する第２テキストデータと、関係内容に関する第２数値データとが含まれる。
【００１５】
前記関係図表作成システムの他の一例として、連繋データには、関係線によって繋がる対象項目のうちの少なくとも一方に関連する関連情報を参照可能な第３ハイパーリンクデータと、関係線によって繋がる対象項目のうちの少なくとも一方に関する第３テキストデータと、関係線によって繋がる対象項目のうちの少なくとも一方に関する第３数値データとが含まれる。
【００１６】
前記関係図表作成システムの他の一例として、関係図表作成システムは、対象項目データと関係内容データと連繋データとを改変するデータ改変手段を有する。
【００１７】
前記課題を解決するための本発明の第２の前提は、各種複数の対象項目から形成された関係図表を作成する関係図表作成方法である。
【００１８】
前記第２前提における本発明の特徴としては、関係図表作成方法が、所定の対象項目番号が設定されたそれら対象項目を個別に識別可能な各種複数の対象項目識別情報を含む対象項目データと、それら対象項目どうしを結ぶとともに対象項目どうしの各種複数の関係内容を識別可能な関係線を含む関係内容データと、関係線によって繋がる任意の対象項目どうしの連繋情報を含む連繋データとを格納したデータベースを備え、関係図表作成方法は、連繋データを参照してそれら対象項目が有する直接連繋数をそれら対象項目毎に抽出する直接連繋数抽出プロセスを実行した後、連繋数が最も多い第１対象項目とそれに直接連繋する第２対象項目とをグループ化しつつ、そのグループの第１対象項目を中心としてその周り方向に第２対象項目を並べてグループを放射状展開し、展開したグループを二次平面に配分し、次に、配分した対象項目を除く残余の対象項目のうち直接連繋数が２番目に多い第１対象項目とそれに直接連繋する第２対象項目とをグループ化しつつ、そのグループの第１対象項目を中心としてその周り方向に第２対象項目を並べてグループを放射状展開し、展開したグループを二次平面に配分し、このように、配分した対象項目を除く残余の対象項目のうち直接連繋数が多い順にグループ化と放射状展開と配分とを繰り返すグループ展開配分プロセスと、展開したグループの対象項目どうしを関係線を介して結ぶことで、対象項目どうしの関係を表示した放射状関係図表を作成する関係図表作成プロセスとを実行することにある。
【００１９】
前記関係図表作成方法の一例として、関係図表作成方法は、グループ化した各グループのうちの少なくとも１つのグループの放射状関係図表を作成可能であり、関係図表作成手段によって作成した放射状関係図表を出力する関係図表出力プロセスを有する。
【００２０】
前記関係図表作成方法の他の一例として、グループ展開配分プロセスでは、連繋数が最も多い第１対象項目のグループを二次平面の中央部分に配分し、連繋数が最も多い第１対象項目のグループの直近下位から直接連繋数の多い順に並ぶ第１対象項目のグループまでの各グループを、連繋数が最も多い第１対象項目のグループを中心としてそれから下位に向かって二次平面に螺旋を画くように配分する。
【００２１】
前記関係図表作成方法の他の一例として、関係図表作成方法は、グループ展開配分プロセスによって展開した連繋数が最も多い第１対象項目のグループの直径を計算し、その直径と同じ長さの辺を有する四角形で二次平面を区分する二次平面区分プロセスを有し、グループ展開配分プロセスでは、連繋数が最も多い第１対象項目のグループから直接連繋数の多い順に並ぶ第１対象項目のグループまでの各グループを、それら四角形の中に別々に配分する。
【００２２】
前記関係図表作成方法の他の一例として、グループ展開配分プロセスでは、第１対象項目の周り方向外方に複数の円周を仮想しつつ、それら円周上に第２対象項目を配置し、第１対象項目からその周り方向外方へ向かうにつれて円周上に配置する第２対象項目の個数を次第に増加させる。
【００２３】
前記関係図表作成方法の他の一例として、関係図表作成方法は、放射状関係図表を形成する対象項目の対象項目データをそれら対象項目毎に個別に出力する対象項目データ出力プロセスと、放射状関係図表を形成する関係線の関係内容データをそれら関係線毎に個別に出力する関係内容データ出力プロセスと、放射状関係図表を形成する対象項目どうしの連繋データを出力する連繋データ出力プロセスとを実行する。
【００２４】
前記関係図表作成方法の他の一例として、関係図表作成方法は、対象項目データと関係内容データと連繋データとを改変するデータ改変プロセスを実行する。
【発明の効果】
【００２５】
本発明にかかる関係図表作成システムおよび関係図表作成方法によれば、展開したグループの対象項目どうしを関係線を介して一連につなげることで、第１対象項目と第１対象項目を中心としてそれに直接連繋する第２対象項目との関連付けが可能な放射状関係図表を作成することができ、かつ、対象項目どうしの関係内容を把握可能な放射状関係図表を作成することができる。この関係図表作成システムおよび関係図表作成方法は、関係線によって連繋する対象項目どうしの各種複数の連繋状態を利用することで、異なる種類の対象項目や同一の対象項目を自由に組み合わせた多種多様な放射状関係図表を作成することができる。この関係図表作成システムおよび関係図表作成方法は、対象項目データに含まれるすべての対象項目が展開され、放射状関係図表に表示されるから、関係図表からの対象項目の漏れを防ぐことができる。この関係図表作成システムおよび関係図表作成方法は、二次平面にすでに配分済みの対象項目が再度展開されることはないから、配分済みの対象項目を中心とした放射状関係図表が作成されることなく、放射状関係図表の乱立による関係図表の不明確化や煩雑化を防ぐことができる。
【００２６】
グループ化した各グループのうちの少なくとも１つのグループの放射状関係図表を作成可能な関係図表作成システムおよび関係図表作成方法は、不必要なグループを排除した放射状関係図表を作成することができ、必要なグループを展開した放射状関係図表を利用することで、必要なグループの対象項目どうしの関係内容を確実に把握することができる。この関係図表作成システムおよび関係図表作成方法は、各グループのうちの少なくとも１つのグループの放射状関係図表を出力するから、必要なグループを展開した放射状関係図表を出力することで、必要なグループの対象項目どうしの関係内容を確実に把握することができる。
【００２７】
連繋数が最も多い第１対象項目のグループを二次平面の中央部分に配分し、連繋数が最も多い第１対象項目のグループの直近下位から直接連繋数の多い順に並ぶ第１対象項目のグループまでの各グループを、連繋数が最も多い第１対象項目のグループを中心としてそれから下位に向かって二次平面に螺旋を画くように配分する関係図表作成システムおよび関係図表作成方法は、直接連繋数の最も多いグループが二次平面の中心部分に放射状に展開され、それから下位のグループが下位に向かって二次平面に螺旋を画くように放射状に展開されるから、作成された放射状関係図表において直接連繋数の最も多いグループとそれから下位のグループとを容易かつ明確に識別することができる。
【００２８】
連繋数が最も多い第１対象項目のグループの直径を計算し、その直径と同じ長さの辺を有する四角形で二次平面を区分する二次平面区分手段（二次平面区分プロセス）を含み、連繋数が最も多い第１対象項目のグループから直接連繋数の多い順に並ぶ第１対象項目のグループまでの各グループをそれら四角形の中に別々に配分する関係図表作成システムおよび関係図表作成方法は、連繋数が最も多い第１対象項目のグループを収容可能な四角形で二次平面を分割するから、直接連繋数の最も多いグループの下位に連なる他のグループのすべての対象項目を四角形の中で放射状に展開することができる。
【００２９】
第１対象項目の周り方向外方に複数の円周を仮想しつつ、それら円周上に第２対象項目を配置し、第１対象項目からその周り方向外方へ向かうにつれて円周上に配置する第２対象項目の個数を次第に増加させる関係図表作成システムおよび関係図表作成方法は、第１対象項目を中心としてその周り方向外方に多数の第２対象項目を配置することができ、第１対象項目に関連する第２対象項目のすべてを確実に展開させた放射状関係図表を作成することができる。
【００３０】
対象項目データ出力手段（対象項目データ出力プロセス）と関係内容データ出力手段（関係内容データ出力プロセス）と連繋データ出力手段（連繋データ出力プロセス）とを含む関係図表作成システムおよび関係図表作成方法は、対象項目に関する対象項目データをそれら対象項目毎に個別に出力するから、各対象項目の各種の属性情報を知ることができ、作成された放射状関係図表から各対象項目を具体的に把握することができる。また、関係線に関する関係内容データをそれら関係線毎に個別に出力するから、関係線が表す関係の詳細を知ることができ、作成された放射状関係図表から対象項目どうしの関係内容を具体的に把握することができる。この関係図表作成システムおよび関係図表作成方法は、放射状関係図表を形成する対象項目どうしの連繋データを出力するから、対象項目どうしの連繋状態の詳細を知ることができ、作成された放射状関係図表から対象項目どうしの連繋状態を具体的に把握することができる。
【００３１】
関係線に一方向第１関係線と一方向第２関係線と双方向関係線とが含まれる関係図表作成システムは、一方向第１関係線や一方向第２関係線によって対象項目どうしを結ぶことにより、それら対象項目の上下の連携関係の関係付けができるから、関係元と関係先とを明確にした放射状関係図表を作成することができる。この関係図表作成システムは、双方向関係線によって対象項目どうしを結ぶことにより、それら対象項目の双方向の連繋関係の関係付けができるから、それら対象項目が相互に関係元および関係先になった放射状関係図表を作成することができる。この関係図表作成システムは、それら関係線を利用することで、それら対象項目どうしの関係内容を確実に把握することが可能な関係図表を作成することができる。
【００３２】
対象項目の第１ハイパーリンクデータと第１テキストデータと第１数値データとが対象項目データに含まれる関係図表作成システムは、第１ハイパーリンクデータを利用することで、対象項目に関連するリンク情報を知ることができ、作成された放射状関係図表から各対象項目を一層具体的に把握することができる。また、第１テキストデータを利用することで、対象項目に関する各種のテキスト情報を知ることができ、作成された放射状関係図表から各対象項目を一層具体的に把握することができる。この関係図表作成システムは、第１数値データを利用することで、対象項目に関する各種の数値情報を知ることができる。
【００３３】
関係内容の第２ハイパーリンクデータと第２テキストデータと第２数値データとが関係内容データに含まれる関係図表作成システムは、第２ハイパーリンクデータを利用することで、関係内容に関連するリンク情報を知ることができ、作成された放射状関係図表から対象項目どうしの各関係を一層具体的に把握することができる。また、第２テキストデータを利用することで、関係内容に関する各種のテキスト情報を知ることができ、作成された放射状関係図表から対象項目どうしの各関係を一層具体的に把握することができる。この関係図表作成システムは、第２数値データを利用することで、対象項目どうしの各関係に関する各種の数値情報を知ることができる。
【００３４】
関係線によって繋がる対象項目の少なくとも一方の第３ハイパーリンクデータと第３テキストデータと第３数値データとが連繋データに含まれる関係図表作成システムは、第３ハイパーリンクデータを利用することで、第１対象項目と第２対象項目との少なくとも一方に関連するリンク情報を知ることができ、作成された放射状関係図表から対象項目の連繋状態を一層具体的に把握することができる。また、第３テキストデータを利用することで、第１対象項目と第２対象項目との少なくとも一方に関する各種のテキスト情報を知ることができ、作成された放射状関係図表から対象項目の連繋状態を一層具体的に把握することができる。この関係図表作成システムは、第３数値データを利用することで、第１対象項目と第２対象項目との少なくとも一方に関する各種の数値情報を知ることができる。
【００３５】
対象項目データと関係内容データと連繋データとを改変するデータ改変手段（データ改変プロセス）を含む関係図表作成システムおよび関係図表作成方法は、対象項目や関係内容、対象項目どうしの連繋状態を自由に追加、変更、削除することができ、異なる種類の対象項目や同一の対象項目を自由に組み合わせた多種多様な放射状関係図表を作ることができる。
【発明を実施するための最良の形態】
【００３６】
添付の図面を参照し、本発明に係る関係図表作成システムおよび関係図表作成方法の詳細を説明すると、以下のとおりである。図１は、関係図表作成方法を実施する一例として示す関係図表作成システムの構成図である。関係図表作成システムは、コンピュータ１０（コンピュータ資源）を利用して各種複数の対象項目どうしの関係を表示した放射状関係図表を作成する。それら対象項目は、任意の対象項目と任意の対象項目との２項関係によって連繋する。なお、対象項目に特に限定はなく、あらゆる項目（事項）が含まれる。
【００３７】
コンピュータ１０は、中央処理部１１（ＣＰＵまたはＭＰＵ）とメモリ１２とを備え、大容量ハードディスク１３を内蔵している。コンピュータ１０には、キーボードやマウス等の入力装置１４、ディスプレイやプリンタ等の出力装置１５がインターフェイス１６を介して接続されている。メモリ１２の内部アドレスファイルには、コンピュータ１０にこのシステムの各手段（各プロセス）を実行させるための関係図表作成アプリケーションと、データベース管理アプリケーション（たとえば、Database  Management  System）とが格納されている。関係図表作成アプリケーションやデータベース管理アプリケーションは、それらを記憶したＣＤ−ＲＯＭ等の光ディスク（記憶媒体）からコンピュータ１０のメモリ１２にインストールされる。なお、記憶媒体には、光ディスクの他に半導体メモリや磁気ディスクを使用することもできる。
【００３８】
メモリ１２に関係図表作成アプリケーションがインストールされると、コンピュータ１０は、ハードディスク１３に関係図表作成用データベースを構築した後、対象項目データファイル１７や関係内容データファイル１８、連繋データファイル１９、関係図表ファイル２０を関係図表作成用データベースに作成する。コンピュータ１０は、必要なデータをデータベースから抽出し、必要に応じてデータをデータベースに格納する。
【００３９】
対象項目データファイル１７には、対象項目データが格納される。対象項目データには、対象項目を個別に識別可能な各種複数の対象項目識別データ、対象項目に関連する関連情報を参照可能なハイパーリンクデータ（第１ハイパーリンクデータ）、対象項目に関するテキストデータ（第１テキストデータ）、対象項目に関する数値データ（第１数値データ）が含まれる。対象項目識別データには、各対象項目毎に設定された対象項目番号、対象項目の名称等、郵便番号、住所、年月日が含まれる。ただし、対象項目データや対象項目識別データをそれらに限定するものではなく、対象項目に関連するあらゆる事項が含まれる。
【００４０】
関係内容データファイル１８には、関係内容データが格納される。関係内容データには、各関係名に設定された関係名番号、対象項目どうしの関係名、対象項目どうしを結ぶ関係線データ、関係内容に関連する関連情報を参照可能なハイパーリンクデータ（第２ハイパーリンクデータ）、関係内容に関するテキストデータ（第２テキストデータ）、関係内容に関する数値データ（第２数値データ）が含まれる。関係線データには、関係線の矢印の方向、線太さ、線種、線色が含まれる。ただし、関係内容データや関係線データをそれらに限定するものではなく、対象項目どうしの関係に関するあらゆる事項が含まれる。
【００４１】
連繋データファイル１９には、連繋データが格納される。連繋データには、関係線によって繋がる対象項目どうしの連繋状態、関係線によって繋がる対象項目のうちの少なくとも一方に関連する関連情報を参照可能なハイパーリンクデータ（第３ハイパーリンクデータ）、関係線によって繋がる対象項目のうちの少なくとも一方に関するテキストデータ（第３テキストデータ）、関係線によって繋がる対象項目のうちの少なくとも一方に関する数値データ（第３数値データ）が含まれる。ただし、連繋データをそれらに限定するものではなく、対象項目どうしの連繋状態に関連するあらゆる事項が含まれる。
【００４２】
コンピュータ１０の中央処理部１１は、オペレーティングシステムによる制御に基づいて、メモリ１２の内部アドレスファイルに格納された関係図表作成アプリケーションを起動し、起動したアプリケーションに従って以下の各手段を実行する。中央処理部１１は、連繋データ（２項関係）を参照しつつ、それら対象項目が有する直接連繋数をそれら対象項目毎に抽出する直接連繋数抽出手段（直接連繋数抽出プロセス）を実行し、抽出した直接連繋数に従ってそれら対象項目を直接連繋数が最も多い第１対象項目から直接連繋数が最も少ない第１対象項目の順に並べる対象項目整列手段（対象項目整列プロセス）を実行する。
【００４３】
直接連繋関係とは、特定の対象項目とその対象項目に直接繋がる対象項目との関係である。特定の対象項目と特定の対象項目に直接繋がった対象項目にさらに繋がる対象項目とは間接連携であり、直接連携ではない。直接連繋数が最も多い第１対象項目とは、それに直接繋がる対象項目（第２対象項目）の数が最も多い対象項目であり、直接連繋数が最も少ない第１対象項目とは、それに直接繋がる対象項目（第２対象項目）の数が最も少ない対象項目である。なお、それら第１対象項目がそれぞれ異なる対象項目である場合のみならず、それら第１対象項目が同一の対象項目である場合があり、それら第２対象項目がそれぞれ異なる対象項目である場合のみならず、それら第２対象項目が同一の対象項目である場合がある。また、第１対象項目と第２対象項目とがそれぞれ異なる対象項目である場合のみならず、第１対象項目と第２対象項目とが同一の対象項目である場合がある。
【００４４】
コンピュータ１０の中央処理部１１は、直接連繋数抽出手段（直接連繋数抽出プロセス）と対象項目整列手段（対象項目整列プロセス）とを実行した後、連繋数が最も多い第１対象項目とそれに直接連繋する第２対象項目とをグループ化しつつ、そのグループの第１対象項目を中心としてその周り方向に第２対象項目を配置し、第１対象項目の周り方向外方に仮想された円周上に第２対象項目が位置するようにグループを放射状展開し、展開したグループを二次平面に配分し、次に、展開した対象項目を除く残余の対象項目のうち直接連繋数が２番目に多い第１対象項目とそれに直接連繋する第２対象項目とをグループ化しつつ、そのグループの第１対象項目を中心としてその周り方向に第２対象項目を配置し、第１対象項目の周り方向外方に仮想された円周上に第２対象項目が位置するようにグループを放射状展開し、展開したグループを二次平面に配分する。このように、中央処理部１１は、展開した対象項目を除く残余の対象項目のうち直接連繋数が多い順にグループ化と放射状展開と配分とを繰り返し、すべての対象項目が展開されるまでそれらを繰り返すグループ展開配分手段（グループ展開配分プロセス）を実行する。
【００４５】
コンピュータ１０の中央処理部１１は、グループ展開配分手段によって展開した連繋数が最も多い第１対象項目のグループの直径を計算し、その直径と同じ長さの辺を有する正四角形で二次平面を区分する二次平面区分手段（二次平面区分プロセス）を実行する。中央処理部１１は、展開したグループの対象項目どうしを関係線を介して結ぶことで、対象項目どうしの関係を表示した放射状関係図表を作成する関係図表作成手段（関係図表作成プロセス）を実行する。なお、二次平面とは、所定の面積を有し、コンピュータ１０の中央処理部１１において仮想された平面であり、ディスプレイに表示される。
【００４６】
コンピュータ１０の中央処理部１１は、作成した放射状関係図表をデータベースの関係図表ファイル２０に格納する関係図表格納手段（関係図表格納プロセス）を実行し、作成した放射状関係図表を出力装置１５を介して出力する関係図表出力手段（関係図表出力プロセス）を実行する。中央処理部１１は、放射状関係図表を形成する対象項目の対象項目データ（対象項目識別データ、ハイパーリンクデータ、テキストデータ、数値データ）をそれら対象項目毎に個別に出力する対象項目データ出力手段（対象項目データ出力プロセス）を実行し、放射状関係図表を形成する関係線の関係内容データ（関係名、関係線データ、ハイパーリンクデータ、テキストデータ、数値データ）をそれら関係線毎に個別に出力する関係内容データ出力手段（関係内容データ出力プロセス）を実行する。中央処理部１１は、放射状関係図表を形成する対象項目どうしの連繋データ（連繋状態、ハイパーリンクデータ、テキストデータ、数値データ）を出力する連繋データ出力手段（連繋データ出力プロセス）を実行し、対象項目データや関係内容データ、連繋データを改変（追加、変更、削除）するデータ改変手段（データ改変プロセス）を実行する。
【００４７】
グループ展開配分手段（グループ展開配分プロセス）では、第１対象項目の周り方向外方に同心円状の複数の円周が仮想され、第１対象項目からその周り方向外方へ向かうにつれて円周上に位置する第２対象項目の個数が次第に増加するように、それら第２対象項目が配置される。したがって、それら円周のうちの最も内側に仮想された円周に位置する第２対象項目の数が最も少なく、最も外側に仮想された円周に位置する第２対象項目の数が最も多い。最も内側に仮想された円周には最大２４個の第２対象項目を配置可能であり、その円周の直ぐ外側に仮想された円周には最大３２個の第２対象項目を配置可能であるとともに、その円周の直ぐ外側に仮想された円周には最大４０個の第２対象項目を配置可能である。このように、第１対象項目の周り方向外方に向かって隣り合う円周では、８個ずつを加算した第２対象項目を配置することができる。ただし、円周上に配置する第２対象項目の数に特に限定はない。この関係図表作成システムおよび関係図表作成方法は、第１対象項目を中心としてその周り方向外方に多数の第２対象項目を配置することができ、第１対象項目に関連する第２対象項目のすべてを確実に展開させた放射状関係図表を作成することができる。
【００４８】
グループ展開配分手段（グループ展開配分プロセス）では、連繋数が最も多い第１対象項目のグループを二次平面に仮想された正四角形のうちの中央部分に位置する四角形の中に配分し、連繋数が最も多い第１対象項目のグループの直近下位から直接連繋数の多い順に並ぶ第１対象項目のグループまでの各グループを、連繋数が最も多い第１対象項目のグループを中心としてそれから下位に向かい二次平面に内側から外側に向かって螺旋を画くように配分し、それら下位のグループを残りの正四角形の中に順番に配分する。
【００４９】
このシステムでは、グループ化した各グループの中から必要なグループを選択することで、それらグループのうちの少なくとも１つのグループの放射状関係図表を作成することができる。なお、関係線には、第１対象項目から第２対象項目を指し示し、第１対象項目を関係元としつつ第２対象項目を関係先とする一方向第１関係線と、第２対象項目から第１対象項目を指し示し、第２対象項目を関係元としつつ第１対象項目を関係先とする一方向第２関係線と、第１対象項目から第２対象項目を指し示すとともに、第２対象項目から第１対象項目を指し示す双方向関係線とが含まれる。
【００５０】
図２は、コンピュータ１０のディスプレイ（出力装置１５）に表示されたシステムのメイン画面の一例を示す図であり、図３は、対象項目データや関係内容データ、連繋データを選択するＤＢ（データベース）メンテナンス画面の一例を示す図であり、それらデータを新規に格納し、または、格納したそれらデータを改変するための画面である。コンピュータ１０を起動すると、それに接続されたディスプレイにパスワード入力画面が表示される（図示せず）。パスワード入力エリアにあらかじめ取得したパスワードを入力し、入力完了ボタンをクリックする。コンピュータ１０は、入力されたパスワードをメモリに格納されたそれと比較し、パスワードの正誤を判断する。
【００５１】
パスワードが正しく、認証結果が可である場合、コンピュータ１０は、このシステムへのログインを許可し、ディスプレイに図２のメイン画面を表示する。パスワードが誤っていて認証結果が不可である場合、コンピュータ１０は、システムへのログインを禁止し、パスワード誤りメッセージをディスプレイに表示する。メイン画面には、図２に示すように、環境設定エリア、ＤＢ（データベース）メンテナンスボタン、関係図表作成ボタン、閉じるボタンが表示される。環境設定エリアには、ＤＢファイルエリア、作成する関係図表エリア、関係の定義されていない対象項目エリア、関係名の表示エリアが表示される。
【００５２】
図４は、対象項目データファイルに対象項目データを格納する対象項目データ設定画面の一例を示す図であり、図５は、対象項目データに関する基本データの追加画面の一例を示す図である。図６は、対象項目データに関するテキストデータの追加画面の一例を示す図であり、図７は、対象項目データに関する数値データの追加画面の一例を示す図である。図５〜図７では、基本データやテキストデータ、数値データ、シェイプデータの内容の図示を省略している。
【００５３】
新規に対象項目データを対象項目データファイル１７に格納する手順の一例および対象項目データを追加する手順の一例を説明すると、以下のとおりである。図２のメイン画面においてＤＢメンテナンスボタンをクリックする。ＤＢメンテナンスボタンをクリックすると、ディスプレイには、図３に示すＤＢメンテナンス画面が表示される。ＤＢメンテナンス画面には、データ選択エリア、設定ボタン、閉じるボタンが表示されている。データ選択エリアに表示された対象項目データ、関係内容データ、連繋データのうち、対象項目データのチェックボックスにチェックマークを入れた後、設定ボタンをクリックする。設定ボタンをクリックすると、ディスプレイには、図４に示す対象項目データ設定画面が表示される。図４の設定画面には、データ一覧エリア、追加ボタン、変更ボタン、削除ボタン、閉じるボタンが表示される。なお、新規入力では対象項目データが対象項目データファイル１７に格納されていないから、図４の設定画面のデータ一覧エリアに対象項目データは表示されない。
【００５４】
図４の設定画面において追加ボタンをクリックする。追加ボタンをクリックすると、ディスプレイには、図５に示す対象項目データに関する基本データの追加画面が表示される。図５の追加画面には、各入力エリアとともに、基本タブ、テキストタブ、数値タブ、シェイプタブ、クリアボタン、追加ボタン、キャンセルボタンが表示されている。たとえば、番号入力エリアに対象項目番号（１）を入力し、名称等入力エリアに対象項目データの名称（α）を入力する。必要があれば、フリガナ入力エリアにフリガナ、郵便番号入力エリアに郵便番号、住所等入力エリアに住所、年月日等入力エリアに年月日、ハイパーリンク情報（ＨＰＬ情報）入力エリアにハイパーリンクデータ（第１ハイパーリンクデータ）を入力する。
【００５５】
基本データのうち、（番号）および（名称）は必須入力事項であり、その他は任意入力事項である。なお、クリアボタンは入力したデータをクリアする場合に使用し、キャンセルボタンは画面を閉じる場合に使用する。対象項目に関する基本データを入力した後、追加ボタンをクリックすると、コンピュータ１０は、各入力エリアに入力された対象項目の基本データと対象項目の番号とを関連付けた後、その基本データをデータベースの対象項目データファイル１７に格納する。
【００５６】
さらに必要があれば、対象項目データのテキストデータ（第１テキストデータ）や数値データ（第１数値データ）を入力する。テキストデータを入力するには、図５の追加画面に少なくとも対象項目の番号と名称とを入力した後、テキストタブをクリックする。テキストタブをクリックすると、ディスプレイには、図６に示すテキストデータの追加画面が表示される。図６の追加画面には、タイトル入力エリアや内容入力エリアとともに、基本タブ、テキストタブ、数値タブ、シェイプタブ、クリアボタン、追加ボタン、キャンセルボタンが表示されている。タイトル入力エリアにテキストデータのタイトルを入力するとともに、内容入力エリアにテキストデータの内容を入力した後、追加ボタンをクリックすると、コンピュータ１０は、それら入力エリアに入力されたテキストデータと対象項目の番号とを関連付けた後、そのテキストデータをデータベースの対象項目データファイル１７に格納する。
【００５７】
数値データを入力するには、図５の追加画面に少なくとも対象項目の番号と名称とを入力した後、数値タブをクリックする。数値タブをクリックすると、ディスプレイには、図７に示す数値データの追加画面が表示される。図７の追加画面には、タイトル入力エリアや内容入力エリアとともに、基本タブ、テキストタブ、数値タブ、シェイプタブ、クリアボタン、追加ボタン、キャンセルボタンが表示されている。タイトル入力エリアに数値データのタイトルを入力するとともに、内容入力エリアに数値データの内容を入力した後、追加ボタンをクリックすると、コンピュータ１０は、それら入力エリアに入力された数値データと対象項目の番号とを関連付けた後、その数値データをデータベースの対象項目データファイル１７に格納する。
【００５８】
図８は、シェイプ設定画面の一例を示す図であり、図９は、ステンシルとシェイプの選択画面の一例を示す図である、図１０は、画像ファイルの選択画面の一例を示す図である。図８では、標準シェイプやピクチャーシェイプの内容の表示を省略し、図９では、ステンシル（道具箱）やシェイプ（形状）の内容の表示を省略している。図１０では、画像の具体的な表示を省略している。このシステムでは、関係図表の作成に使用するシェイプを設定することができる。図５〜図７の追加画面においてシェイプタブをクリックすると、ディスプレイには、図８に示すシェイプ設定画面が表示される。図８の設定画面には、作図に使用するシェイプの入力エリアとともに、基本タブ、テキストタブ、数値タブ、シェイプタブ、クリアボタン、適用ボタン、閉じるボタンが表示されている。シェイプの入力エリアのチェックボックスのうち、四角形のチェックボックスにチェックを入れ、適用ボタンをクリックすると、四角形の図形内部に対象項目データが表示された関係図表が作成され、円形のチェックボックスにチェックを入れ、適用ボタンをクリックすると、円形の図形内部に対象項目データが表示された関係図表が作成される。なお、図８の設定画面の入力エリアのうち、標準シェイプまたはピクチャーシェイプを選択すると、そのシェイプを使用した関係図表が作成される。
【００５９】
図８の設定画面の入力エリアのうち、ステンシルとシェイプの選択ボタンをクリックすると、ディスプレイには、図９に示すステンシルとシェイプの選択画面が表示される。図９の選択画面には、ステンシルの一覧とシェイプの一覧とが表示される。図９の選択画面においてシェイプ情報の取得ボタンをクリックすると、ステンシルの一覧に各種複数のステンシルが表示され、シェイプの一覧に各種複数のシェイプが表示される。それら一覧からステンシルやシェイプを選択し、選択ボタンをクリックすると、図８の設定画面のステンシル表示エリアやシェイプ表示エリアに選択したステンシルやシェイプが表示される。図８の設定画面の入力エリアのうち、画像ファイルの選択ボタンをクリックすると、ディスプレイには、図１０に示す画像ファイルの選択画面が表示される。図１０の選択画面には、各種複数の画像ファイルＰ１〜Ｐｎの一覧が表示される。画像ファイルＰ１〜Ｐｎの一覧から特定の画像ファイルを選択し、開くボタンをクリックすると、シェイプにその画像ファイルのパスが設定される。
【００６０】
図１１は、対象項目データが入力された後の対象項目データ設定画面の一例を示す図であり、図１２は、対象項目データファイル１７に格納された基本データを変更する基本データ変更画面の一例を示す図である。対象項目データの新規入力では、対象項目データとして、対象項目の番号（１）、（２）、（３）が入力され、対象項目の名称として、番号（１）に対応する（α）、番号（２）に対応する（β）、番号（３）に対応する（γ）が入力されたものとする。それら対象項目データが対象項目データファイル１７に格納された後、図３に示すＤＢメンテナンス画面において対象項目データのチェックボックスにチェックマークを入れ、設定ボタンをクリックすると、図１１に示す対象項目データ設定画面がディスプレイに表示される。図１１の設定画面のデータ一覧表示エリアには、対象項目の番号（１）、（２）、（３）と対象項目の名称（α）、（β）、（γ）とが表示される。なお、図５の追加画面において、フリガナ、郵便番号、住所、年月日、ハイパーリンクデータを入力すると、図１１の対象項目データ設定画面のデータ一覧表示エリアにそれらが表示される。
【００６１】
あらたな対象項目データを追加するには、図１１の設定画面から追加ボタンをクリックし、図５〜図７と同様の追加画面において対象項目の基本データやテキストデータ、数値データを追加入力するとともに、シェイプを追加入力する（データ改変手段、データ改変プロセス）。対象項目データが追加されると、設定画面のデータ一覧表示エリアには、対象項目の番号（４）〜（ｎ）が表示され、対象項目の（名称）〜（名称）が表示される。さらに、フリガナ、郵便番号、住所、年月日、ハイパーリンクデータが表示される。
【００６２】
対象項目データファイル１７に格納された対象項目の各種データを変更する手順の一例を説明すると、以下のとおりである。図１１の設定画面において対象項目データ一覧表示エリアに表示された対象項目データから変更するデータを指定（選択）した後、変更ボタンをクリックする。図１１の設定画面では番号（２）の名称（β）が指定され、それを変更するものとする。変更ボタンをクリックすると、ディスプレイには、図１２に示す基本データ変更画面が表示される。
【００６３】
図１２の変更画面には、各入力エリアとともに、基本タブ、テキストタブ、数値タブ、シェイプタブ、クリアボタン、適用ボタン、キャンセルボタンが表示されている。番号入力エリアに対象項目の番号（２）を入力し、名称等入力エリアに対象項目データの名称（θ）を入力する。必要があれば、フリガナ入力エリアに表示されたフリガナを変更することができ、郵便番号入力エリアに表示された郵便番号を変更することができ、住所等入力エリアに表示された住所を変更することができる。さらに、年月日等入力エリアに表示された年月日を変更することができ、ハイパーリンク情報入力エリアに表示されたハイパーリンクデータ（第１ハイパーリンクデータ）を変更することができる。キャンセルボタンは、対象項目データの変更をキャンセルする場合に使用する。
【００６４】
各入力エリアに表示されたデータを変更した後、適用ボタンをクリックすると、コンピュータ１０は、対象項目の番号（２）の名称（β）を名称（θ）に書き換え、基本データの名称（θ）と番号（２）とを関連付けた後、名称（θ）をデータベースの対象項目データファイル１７に格納する（データ改変手段、データ改変プロセス）。また、変更されたフリガナ、郵便番号、住所、年月日、ハイパーリンクデータと番号（２）とを関連付けた後、それらをデータベースの対象項目データファイル１７に格納（更新）する（データ改変手段、データ改変プロセス）。
【００６５】
図１２の基本データ変更画面からテキストボタン、数値ボタン、シェイプボタンのいずれかをクリックすることで、テキストデータ、数値データ、シェイプの変更を行うことができる。図１２の基本データ変更画面からテキストボタンをクリックすると、ディスプレイには、テキストデータの変更画面が表示される（図６援用）。テキストデータの変更画面には、すでに入力されたタイトルや内容とともに、適用ボタンが表示される（図示せず）。テキストデータの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と番号（２）とを関連付けた後、それらをデータベースの対象項目データファイル１７に格納（更新）する（データ改変手段、データ改変プロセス）。
【００６６】
図１２の基本データ変更画面から数値ボタンをクリックすると、ディスプレイには、数値データの変更画面が表示される（図７援用）。数値データの変更画面では、すでに入力されたタイトルや内容とともに、適用ボタンが表示される（図示せず）。数値データの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と番号（２）とを関連付けた後、それらをデータベースの対象項目データファイル１７に格納（更新）する（データ改変手段、データ改変プロセス）。
【００６７】
図１２の基本データ変更画面からシェイプボタンをクリックすると、ディスプレイには、シェイプの変更画面が表示される（図８援用）。シェイプの変更画面では、シェイプの内容とともに、適用ボタンが表示される。シェイプの変更画面では、作図に使用するシェイプ表示エリアに表示されたデータを変更することができる。シェイプ表示エリアに表示されたデータを変更した後、適用ボタンをクリックすると、コンピュータ１０は、変更されたデータと番号（２）とを関連付けた後、それらをデータベースの対象項目データファイル１７に格納（更新）する（データ改変手段、データ改変プロセス）。
【００６８】
図１３は、対象項目データファイル１７に格納された各種データを削除する場合の対象項目データ設定画面の一例を示す図である。各種データを削除する手順の一例を説明すると、以下のとおりである。図３に示すＤＢメンテナンス画面において対象項目データのチェックボックスにチェックマークを入れ、設定ボタンをクリックすると、図１３に示す対象項目データ設定画面がディスプレイに表示される。図１３の設定画面のデータ一覧表示エリアには、対象項目番号（１）、（２）、（３）と対象項目の名称（α）、（β）、（γ）とが表示される。図１３の設定画面においてデータ一覧表示エリアに表示された基本データから削除するデータを指定（選択）した後、削除ボタンをクリックする。図１３の設定画面では、対象項目番号（２）の名称（β）を指定し、それを削除するものとする。
【００６９】
削除ボタンをクリックすると、ディスプレイには、削除の確認としてＯＫボタンとキャンセルボタンとが表示される。ＯＫボタンをクリックすると、コンピュータ１０は、対象項目の番号（２）と基本データの名称（β）とを対象項目データファイル１７から削除する（データ改変手段、データ改変プロセス）。なお、基本データの番号（２）および名称（β）を削除すると、コンピュータ１０は、フリガナ、郵便番号、住所、年月日、ハイパーリンクデータの他の基本データを対象項目データファイル１７から削除し、さらに、それに関連するテキストデータや数値データを対象項目データファイル１７から削除する。
【００７０】
なお、テキストデータや数値データ、シェイプを削除することもできる。図１２の基本データ変更画面からテキストボタンをクリックすると、ディスプレイには、テキストデータの変更画面が表示される（図６援用）。テキストデータの変更画面には、すでに入力されたタイトルや内容とともに、適用ボタンが表示される（図示せず）。テキストデータの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と番号とを関連付けた後、それらをデータベースの対象項目データファイル１７に格納（更新）する（データ改変手段、データ改変プロセス）。
【００７１】
図１２の基本データ変更画面から数値ボタンをクリックすると、ディスプレイには、数値データの変更画面が表示される（図７援用）。数値データの変更画面では、すでに入力されたタイトルや内容とともに、適用ボタンが表示される（図示せず）。数値データの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と番号とを関連付けた後、それらをデータベースの対象項目データファイル１７に格納（更新）する（データ改変手段、データ改変プロセス）。
【００７２】
図１２の基本データ変更画面からシェイプボタンをクリックすると、ディスプレイには、シェイプの変更画面が表示される（図８援用）。シェイプの変更画面では、シェイプの内容とともに、適用ボタンが表示される。シェイプの変更画面において、作図に使用するシェイプ表示エリアに表示されたデータを削除することができる。シェイプ表示エリア各入力エリアに表示されたデータを削除した後、適用ボタンをクリックすると、コンピュータ１０は、削除されたデータを除く残余のデータと番号とを関連付けた後、それらをデータベースの対象項目データファイル１７に格納（更新）する（データ改変手段、データ改変プロセス）。
【００７３】
図１４は、関係内容データファイル１８に関係内容データを格納する関係内容設定画面の一例を示す図であり、図１５は、関係内容データに関する基本データの追加画面の一例を示す図である。図１６は、関係内容データに関するテキストデータの追加画面の一例を示す図であり、図１７は、関係内容データに関する数値データの追加画面の一例を示す図である。図１５〜図１７では、基本データやテキストデータ、数値データの図示を省略している。
【００７４】
新規に関係内容データを関係内容データファイル１８に格納する手順の一例および関係内容データを追加する手順の一例を説明すると、以下のとおりである。図３に示すＤＢメンテナンス画面において、関係内容データのチェックボックスにチェックマークを入れた後、設定ボタンをクリックする。設定ボタンをクリックすると、ディスプレイには、図１４に示す関係内容データの設定画面が表示される。設定画面には、データ一覧エリア、追加ボタン、変更ボタン、削除ボタン、閉じるボタンが表示される。なお、新規入力では関係内容データが関係内容データファイル１８に格納されていないから、図１４の設定画面のデータ一覧エリアに関係内容データは表示されない。
【００７５】
図１４の表示画面において追加ボタンをクリックする。追加ボタンをクリックすると、ディスプレイには、図１５に示す関係内容データに関する基本データの追加画面が表示される。図１５の追加画面には、各入力エリアとともに、基本タブ、テキストタブ、数値タブ、追加ボタン、キャンセルボタンが表示されている。番号入力エリアに関係内容番号（１）を入力し、関係名入力エリアに関係名（たとえば、進化、退化、突然変異、通常変異等）を入力するとともに、矢印方向のチェックボックスにチェックを入れて矢印方向を設定する。必要があれば、線太さや線種、線色を指定（選択）するとともに、年月日入力エリアに年月日、ハイパーリンク情報（ＨＰＬ情報）入力エリアにハイパーリンクデータ（第２ハイパーリンクデータ）を入力する。矢印方向のうち、片方向は一方向第１関係線または一方向第２関係線となり、両方向は双方向関係線となる。
【００７６】
基本データのうち、（番号）や（関係名）、（矢印方向）は必須入力事項であり、その他は任意入力事項である。なお、キャンセルボタンは、図１５の追加画面をキャンセルする場合に使用する。関係内容に関する基本データを入力した後、追加ボタンをクリックすると、コンピュータ１０は、入力エリアに入力された関係内容データと関係内容の番号とを関連付けた後、その関係内容データをデータベースの関係内容データファイル１８に格納する。
【００７７】
さらに必要があれば、関係内容データのテキストデータ（第２テキストデータ）や数値データ（第２数値データ）を入力する。テキストデータを入力するには、図１５の追加画面に少なくとも関係内容の番号と関係名と矢印方向とを入力した後、テキストタブをクリックする。テキストタブをクリックすると、ディスプレイには、図１６に示すテキストデータの追加画面が表示される。図１６の追加画面には、タイトル入力エリアや内容入力エリアとともに、基本タブ、テキストタブ、数値タブ、追加ボタン、キャンセルボタンが表示されている。タイトル入力エリアにテキストデータのタイトルを入力するとともに、内容入力エリアにテキストデータの内容を入力した後、追加ボタンをクリックすると、コンピュータ１０は、それら入力エリアに入力されたテキストデータと関係内容の番号とを関連付けた後、そのテキストデータをデータベースの関係内容データファイル１８に格納する。
【００７８】
数値データを入力するには、図１５の追加画面に少なくとも関係内容の番号と関係名と矢印方向とを入力した後、数値タブをクリックする。数値タブをクリックすると、ディスプレイには、図１７に示す数値データの追加画面が表示される。図１７の追加画面には、タイトル入力エリアや内容入力エリアとともに、基本タブ、テキストタブ、数値タブ、追加ボタン、キャンセルボタンが表示されている。タイトル入力エリアに数値データのタイトルを入力するとともに、内容入力エリアに数値データの内容を入力した後、追加ボタンをクリックすると、コンピュータ１０は、それら入力エリアに入力された数値データと関係内容の番号とを関連付けた後、その数値データをデータベースの関係内容データファイル１８に格納する。
【００７９】
図１８は、関係内容データが入力された後の関係内容データ設定画面の一例を示す図であり、図１９は、関係内容データファイル１８に格納された基本データを変更する基本データ変更画面の一例を示す図である。関係内容データの新規入力では、関係内容データとして、関係内容の番号（１）、（２）、（３）が入力され、関係名として、番号（１）に対応する（進化）、番号（２）に対応する（進化）、番号（２）に対応する（進化）が入力され、矢印方向として、一方向（一方向関係線）が入力されたものとする。なお、矢印方向の（１）は一方向（一方向関係線）を表し、矢印方向の（２）は双方向（双方向関係線）を表すとともに、矢印方向の（３）は回帰（回帰関係線）を表している。
【００８０】
それら関係内容データが関係内容データファイル１８に格納された後、図３に示すＤＢメンテナンス画面において関係内容データのチェックボックスにチェックマークを入れ、設定ボタンをクリックすると、図１８に示す関係内容データ設定画面がディスプレイに表示される。図１８の設定画面のデータ一覧エリアには、関係内容の番号（１）、（２）、（３）が表示され、関係名（進化）が表示されるとともに、矢印方向の番号（１）が表示される。なお、図１５の追加画面において、年月日、ハイパーリンクデータを入力すると、図１８の関係内容データ設定画面のデータ一覧表示エリアにそれらが表示される。
【００８１】
あらたな関係内容データを追加するには、図１８の画面から追加ボタンをクリックし、図１５〜図１７と同様の追加画面において関係内容の基本データやテキストデータ、数値データを追加入力する（データ改変手段、データ改変プロセス）。関係内容データが追加されると、設定画面のデータ一覧表示エリアには、関係内容の番号（４）〜（ｎ）が表示され、関係内容の（関係名）〜（関係名）が表示される。さらに、年月日、ハイパーリンクデータが表示される。
【００８２】
関係内容データファイル１８に格納された関係内容の各種データを変更する手順の一例を説明すると、以下のとおりである。図１８の設定画面において関係内容データ一覧表示エリアに表示された関係内容データから変更するデータを指定（選択）した後、変更ボタンをクリックする。図１８の設定画面では番号（２）の関係名（進化）を変更するものとする。変更ボタンをクリックすると、ディスプレイには、図１９に示す基本データ変更画面が表示される。図１９の変更画面には、各入力エリアとともに、基本タブ、テキストタブ、数値タブ、適用ボタン、キャンセルボタンが表示されている。番号入力エリアに関係内容の番号（２）を入力し、関係名等入力エリアに関係内容データの関係名（退化）を入力する。必要があれば、矢印方向のチェックボックスにチェックを入れて矢印方向を変更し、線太さや線種、線色を変更する。さらに、年月日入力エリアに表示され年月日を変更することができ、ハイパーリンク情報（ＨＰＬ情報）入力エリアに表示されたハイパーリンクデータ（第２ハイパーリンクデータ）を変更することができる。
【００８３】
各入力エリアに表示されたデータを変更した後、適用ボタンをクリックすると、コンピュータ１０は、関係内容の番号（２）の関係名（進化）を関係名（退化）に書き換え、基本データの関係名（退化）と関係内容の番号（２）とを関連付けた後、関係名（退化）をデータベースの関係内容データファイル１８に格納（更新）する（データ改変手段、データ改変プロセス）。また、変更された年月日、ハイパーリンクデータと番号（２）とを関連付けた後、それらをデータベースの関係内容データファイル１８に格納（更新）する（データ改変手段、データ改変プロセス）。
【００８４】
図１９の基本データ変更画面からテキストボタン、数値ボタンのいずれかをクリックすることで、テキストデータ、数値データの変更を行うことができる。図１９の基本データ変更画面からテキストボタンをクリックすると、ディスプレイには、テキストデータの変更画面が表示される（図１６援用）。テキストデータの変更画面には、すでに入力されたタイトルや内容とともに、適用ボタンが表示される（図示せず）。テキストデータの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と番号（２）とを関連付けた後、それらをデータベースの関係内容データファイル１８に格納（更新）する（データ改変手段、データ改変プロセス）。
【００８５】
図１９の基本データ変更画面から数値ボタンをクリックすると、ディスプレイには、数値データの変更画面が表示される（図１７援用）。数値データの変更画面では、すでに入力されたタイトルや内容とともに、適用ボタンが表示される（図示せず）。数値データの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と番号（２）とを関連付けた後、それらをデータベースの関係内容データファイル１８に格納（更新）する（データ改変手段、データ改変プロセス）。
【００８６】
図２０は、関係内容データファイル１９に格納された各種データを削除する場合の関係内容データ設定画面の一例を示す図である。各種データを削除する手順の一例を説明すると、以下のとおりである。図３に示すＤＢメンテナンス画面において関係内容データのチェックボックスにチェックマークを入れ、設定ボタンをクリックすると、図２０に示す関係内容データ設定画面がディスプレイに表示される。図２０の設定画面のデータ一覧表示エリアには、関係内容番号（１）、（２）、（３）と関係名（進化）と矢印方向（１）とが表示される。図２０の設定画面において関係内容データ一覧表示エリアに表示された基本データから削除するデータを指定（選択）した後、削除ボタンをクリックする。図２０の画面では、関係内容番号（２）の関係名（進化）、矢印方向（１）を削除するものとする。
【００８７】
削除ボタンをクリックすると、ディスプレイには、削除の確認としてＯＫボタンとキャンセルボタンとが表示される。ＯＫボタンをクリックすると、コンピュータは、関係内容番号（２）の関係名（進化）、矢印方向（１）を関係内容データファイルから削除する（データ改変手段、データ改変プロセス）。なお、基本データの番号（２）および関係名（進化）を削除すると、コンピュータ１０は、年月日、ハイパーリンクデータの他の基本データを関係内容データファイル１８から削除し、さらに、それに関連するテキストデータや数値データを関係内容データファイル１８から削除する。
【００８８】
なお、テキストデータや数値データを削除することもできる。図１９の基本データ変更画面からテキストボタンをクリックすると、ディスプレイには、テキストデータの変更画面が表示される（図１６援用）。テキストデータの変更画面には、すでに入力されたタイトルや内容とともに、適用ボタンが表示される（図示せず）。テキストデータの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と番号とを関連付けた後、それらをデータベースの関係内容データファイル１８に格納（更新）する（データ改変手段、データ改変プロセス）。
【００８９】
図１９の基本データ変更画面から数値ボタンをクリックすると、ディスプレイには、数値データの変更画面が表示される（図１７援用）。数値データの変更画面では、すでに入力されたタイトルや内容とともに、適用ボタンが表示される（図示せず）。数値データの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と番号とを関連付けた後、それらをデータベースの関係内容データファイル１８に格納（更新）する（データ改変手段、データ改変プロセス）。
【００９０】
図２１は、連繋データファイル１９に連繋データを格納する連繋データ設定画面の一例を示す図であり、図２２は、連繋データに関する基本データの追加画面の一例を示す図である。図２３は、連繋データに関するテキストデータの追加画面の一例を示す図であり、図２４は、連繋データに関する数値データの追加画面の一例を示す図である。図２２〜図２４では、基本データやテキストデータ、数値データの図示を省略している。
【００９１】
新規に連繋データを連繋データファイル１９に格納する手順の一例および連繋データを追加する手順の一例を説明すると、以下のとおりである。図３に示すＤＢメンテナンス画面において、連繋データのチェックボックスにチェックマークを入れた後、設定ボタンをクリックする。設定ボタンをクリックすると、ディスプレイには、図２１に示す連繋データの設定画面が表示される。設定画面には、表示設定エリア、データ一覧エリア、追加ボタン、変更ボタン、削除ボタン、閉じるボタンが表示される。なお、新規入力では連繋データが連繋データファイルに格納されていないから、図２１の設定画面のデータ一覧エリアに連繋データは表示されない。
【００９２】
図２１の表示画面において追加ボタンをクリックする。追加ボタンをクリックすると、ディスプレイには、図２２に示す連繋データに関する基本データの追加画面が表示される。図２２の追加画面には、各入力エリアとともに、基本タブ、テキストタブ、数値タブ、対象の入れ替えボタン、追加ボタン、キャンセルボタンが表示されている。対象（１）入力エリアに対象項目（α）を入力し、関係入力エリアに関係名（進化）を入力するとともに、対象（２）入力エリアに対象項目（β）を入力する。
【００９３】
なお、入力エリアの対象指定ボタンをクリックし、図１１と略同様の対象指定画面（図示せず）をディスプレイに表示させ、対象指定画面から対象項目を指定することで、対象項目データファイルに格納された対象項目を各対象（１）（２）入力エリアに自動的に入力することができる。また、図２２の入力エリアの関係名のドロップダウンボタンをクリックし、ドロップダウンリスト（図示せず）から関係名を指定することで、関係内容データファイルに格納された関係名を関係入力エリアに自動的に入力することができる。必要があれば、線太さや線種、線色を選択するとともに、ハイパーリンク情報（ＨＰＬ情報）入力エリアにハイパーリンクデータ（第３ハイパーリンクデータ）を入力する。基本データのうち、対象（１）、関係、対象（２）は必須入力事項であり、その他は任意入力事項である。なお、キャンセルボタンは図２２の追加画面をキャンセルする場合に使用する。
【００９４】
連繋データに関する基本データを入力した後、追加ボタンをクリックすると、コンピュータ１０は、入力エリアに入力された連繋データをデータベースの連繋データファイル１９に格納する。連繋データファイル１９では、対象項目（α）と対象項目（β）とが関係名（進化）を介して紐付けられ、２項関係に基づいてそれら対象項目どうしが連繋する。具体的には、（α）→進化（β）となる。なお、対象の入れ替えボタンをクリックすると、対象（１）入力エリアに入力された対象項目と対象（２）入力エリアに入力された対象項目とが入れ替わる。具体的には、対象（１）入力エリアの対象項目（α）が対象（２）入力エリアの対象項目となり、対象（２）入力エリアの対象項目（β）が対象（１）入力エリアの対象項目となり、（β）→進化（α）となる。
【００９５】
さらに必要があれば、連繋データのテキストデータ（第３テキストデータ）や数値データ（第３数値データ）を入力する。テキストデータを入力するには、図２２の追加画面に少なくとも対象（１）、関係、対象（２）を入力した後、テキストタブをクリックする。テキストタブをクリックすると、ディスプレイには、図２３に示すテキストデータの入力画面が表示される。図２３の追加画面には、タイトル入力エリアや内容入力エリアとともに、基本タブ、テキストタブ、数値タブ、追加ボタン、キャンセルボタンが表示されている。タイトル入力エリアにテキストデータのタイトルを入力するとともに、内容入力エリアにテキストデータの内容を入力した後、追加ボタンをクリックすると、コンピュータ１０は、それら入力エリアに入力されたテキストデータと連繋データの基本データとを関連付けた後、そのテキストデータをデータベースの連繋データファイル１９に格納する。
【００９６】
数値データを入力するには、図２２の追加画面に少なくとも対象（１）、関係、対象（２）を入力した後、数値タブをクリックする。数値タブをクリックすると、ディスプレイには、図２４に示す数値データの入力画面が表示される。図２４の入力画面には、タイトル入力エリアや内容入力エリアとともに、基本タブ、テキストタブ、数値タブ、追加ボタン、キャンセルボタンが表示されている。タイトル入力エリアに数値データのタイトルを入力するとともに、内容入力エリアに数値データの内容を入力した後、追加ボタンをクリックすると、コンピュータ１０は、それら入力エリアに入力された数値データと連繋データの基本データとを関連付けた後、その数値データをデータベースの連繋データファイル１９に格納する。
【００９７】
なお、関係（進化）を選択すると、それに対応する関係線が自動的に設定される。たとえば、選択した関係（進化）の関係線が一方向関係線の場合は、対象（１）の対象項目から対象（２）の対象項目を指し示す矢印が設定され、あるいは、対象（２）の対象項目から対象（１）の対象項目を指し示す矢印が設定される。選択した関係（進化）の関係線が両方向関係線の場合は、対象（１）の対象項目と対象（２）の対象項目との双方を指し示す矢印が設定される。
【００９８】
図２５は、連繋データが入力された後の連繋データ設定画面の一例を示す図であり、図２６は、連繋データファイル１９に格納された基本データを変更する変更画面の一例を示す図である。連繋データの新規入力では、連繋データとして、関係名（進化）とする対象項目（α）と対象項目（β）との連繋状態、関係名（退化）とする対象項目（α）と対象項目（γ）との連繋状態、関係名（進化）とする対象項目（β）と対象項目（δ）との連繋状態が入力されたものとする。それら連繋データが連繋データファイルに格納された後、図３に示すＤＢメンテナンス画面において連繋データのチェックボックスにチェックマークを入れ、設定ボタンをクリックすると、図２５に示す連繋データ設定画面がディスプレイに表示される。図２５の設定画面のデータ一覧エリアには、関係元名称（α）、（α）、（β）が表示され、関係（進化）が表示されるとともに、関係先名称（β）、（γ）、（δ）が表示される。図２２の追加画面において、ハイパーリンクデータを入力すると、図２５の連繋データ設定画面のデータ一覧表示エリアにそれが表示される。
【００９９】
あらたな連繋データを追加するには、図２５の画面から追加ボタンをクリックし、図２２〜図２４と同様の追加画面において連繋データの基本データやテキストデータ、数値データを追加入力する（データ改変手段、データ改変プロセス）。連繋データが追加されると、設定画面のデータ一覧表示エリアには、追加入力された連繋データが表示される。
【０１００】
連繋データファイル１９に格納された連繋データを変更する手順の一例を説明すると、以下のとおりである。図２５の設定画面において連繋データ一覧表示エリアに表示された連繋データから変更するデータを指定（選択）した後、変更ボタンをクリックする。図２５の設定画面では対象項目（α）と対象項目（γ）との連繋状態を変更するものとする。変更ボタンをクリックすると、ディスプレイには、図２６に示す連繋データ変更画面が表示される。図２６の変更画面には、各入力エリアとともに、基本タブ、テキストタブ、数値タブ、対象の入れ替えボタン、適用ボタン、キャンセルボタンが表示されている。
【０１０１】
対象（１）入力エリアに対象項目（α）を入力し、関係入力エリアに関係名（進化）を入力するとともに、対象（２）入力エリアに対象項目（ε）を入力する。なお、入力エリアの対象指定ボタンをクリックし、図１１と略同様の対象指定画面（図示せず）をディスプレイに表示させ、対象指定画面から対象項目を指定することで、対象項目データファイルに格納された対象項目を各対象（１）（２）入力エリアに自動的に入力することができる。また、入力エリアのドロップダウンボタンをクリックし、ドロップダウンリスト（図示せず）から関係名を指定することで、関係内容データファイルに格納された関係名を関係入力エリアに自動的に入力することができる。必要があれば、線太さや線種、線色を変更することができ、ハイパーリンク情報（ＨＰＬ情報）入力エリアに表示されたハイパーリンクデータ（第３ハイパーリンクデータ）を変更することができる。
【０１０２】
各入力エリアに表示されたデータを変更した後、適用ボタンをクリックすると、コンピュータ１０は、関係名（進化）とする対象項目（α）と対象項目（γ）との連繋状態を関係名（進化）とする対象項目（α）と対象項目（ε）との連繋状態に書き換え、関係名（進化）とする対象項目（α）と対象項目（ε）との連繋データをデータベースの連繋データファイル１９に格納（更新）する（データ改変手段、データ改変プロセス）。また、変更されたハイパーリンクデータと連繋データとを関連付けた後、それらをデータベースの関係内容データファイル１９に格納（更新）する（データ改変手段、データ改変プロセス）。連繋データファイル１９では、対象項目（α）と対象項目（ε）とが関係名（進化）を介して紐付けられ、２項関係に基づいてそれら対象項目どうしが連繋する。具体的には、（α）→進化（γ）が（α）→進化（ε）となる。
【０１０３】
図２６の変更画面からテキストボタン、数値ボタンのいずれかをクリックすることで、テキストデータ、数値データの変更を行うことができる。図２６の変更画面からテキストボタンをクリックすると、ディスプレイには、テキストデータの変更画面が表示される（図２３援用）。テキストデータの変更画面には、すでに入力されたタイトルや内容とともに、適用ボタンが表示される（図示せず）。テキストデータの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と連繋データの基本データとを関連付けた後、それらをデータベースの連繋データファイル１９に格納（更新）する（データ改変手段、データ改変プロセス）。
【０１０４】
図２６の変更画面から数値ボタンをクリックすると、ディスプレイには、数値データの変更画面が表示される（図２４援用）。数値データの変更画面では、すでに入力されたタイトルや内容とともに、適用ボタンが表示される（図示せず）。数値データの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と連繋データの基本データとを関連付けた後、それらをデータベースの関係内容データファイル１９に格納（更新）する（データ改変手段、データ改変プロセス）。
【０１０５】
図２７は、連繋データファイル１９に格納された連繋データの各種データを削除する場合の連繋データ設定画面の一例を示す図である。各種データを削除する手順の一例を説明すると、以下のとおりである。図３に示すＤＢメンテナンス画面において連繋データのチェックボックスにチェックマークを入れ、設定ボタンをクリックすると、図２７に示す連繋データ設定画面がディスプレイに表示される。図２７の設定画面のデータ一覧表示エリアには、関係名（進化）とする対象項目（α）と対象項目（β）との連繋データ、関係名（進化）とする対象項目（α）と対象項目（γ）との連繋データ、関係名（進化）とする対象項目（β）と対象項目（δ）との連繋データが表示される。図２７の設定画面において連繋データ一覧表示エリアに表示された基本データから削除するデータを指定（選択）した後、削除ボタンをクリックする。図２７の画面では、関係名（進化）とする対象項目（α）と対象項目（γ）との連繋データを削除するものとする。
【０１０６】
削除ボタンをクリックすると、ディスプレイには、削除の確認としてＯＫボタンとキャンセルボタンとが表示される。ＯＫボタンをクリックすると、コンピュータ１０は、対象項目（α）と対象項目（γ）との連繋データを連繋データファイル１９から削除する（データ改変手段、データ改変プロセス）。なお、対象項目（α）と対象項目（γ）との連繋データを削除すると、コンピュータ１０は、ハイパーリンクデータの他の基本データを連繋データファイル１９から削除し、さらに、それに関連するテキストデータや数値データを連繋データファイル１９から削除する。
【０１０７】
なお、テキストデータや数値データを削除することもできる。図２６の基本データ変更画面からテキストボタンをクリックすると、ディスプレイには、テキストデータの変更画面が表示される（図２３援用）。テキストデータの変更画面には、すでに入力されたタイトルや内容とともに、適用ボタンが表示される（図示せず）。テキストデータの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と連繋データの基本データとを関連付けた後、それらをデータベースの連繋データファイル１９に格納（更新）する（データ改変手段、データ改変プロセス）。
【０１０８】
図２６の基本データ変更画面から数値ボタンをクリックすると、ディスプレイには、数値データの変更画面が表示される（図２４援用）。数値データの変更画面では、すでに入力されたタイトルや内容とともに、適用ボタンが表示される（図示せず）。数値データの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と連繋データの基本データとを関連付けた後、それらをデータベースの連繋データファイル１９に格納（更新）する（データ改変手段、データ改変プロセス）。
【０１０９】
この関係図表作成システムおよび関係図表作成方法は、対象項目や対象項目に関する各種のデータ、対象項目どうしの連繋状態を自由に追加、変更、削除することができるから、異なる種類の対象項目や同一の対象項目を自由に組み合わせた多種多様な放射状関係図表を作ることができる。
【０１１０】
図２８は、連繋データファイルに格納された連繋データの一例を示す図であり、図２９は、直接連繋数が最も多い対象項目のグループのみを展開して作成された放射状関係図表を示す図である。図３０は、すべてのグループを展開して作成された放射状関係図表を示す図である。図３０では、関係線Ｌ５に表示される関係名の図示を省略している。図２９，３０に示す放射状関係図表は、図２８の連繋データに基づいて作成されている。図２のメイン画面のＤＢファイルエリアにおいて参照をクリックし、ＤＢファイルエリアに表示された複数の連繋データファイル名から関係図表を作成するための連繋データファイル名を指定する。指定された連繋データファイルでは、図２８に示すように、対象項目（α１）〜（α９），（β１）〜（β３），（γ１）〜（γ５）が格納されている。連繋データファイルでは、対象項目（α１）と対象項目（α２）〜（α９）とが関係名（進化）を介して紐付けられ、２項関係に基づいてそれら対象項目どうしが連繋している。具体的には、（α１）→進化（α２）、（α１）→進化（α３）、（α１）→進化（α４）、（α１）→進化（α５）、（α１）→進化（α６）、（α１）→進化（α７）、（α１）→進化（α８）、（α１）→進化（α９）である。
【０１１１】
連繋データファイルでは、対象項目（α６）と対象項目（β１）〜（β３）とが関係名（進化）を介して紐付けられ、２項関係に基づいてそれら対象項目どうしが連繋している。具体的には、（α６）→進化（β１）、（α６）→進化（β２）、（α６）→進化（β３）である。さらに、対象項目（β１）と対象項目（γ１）〜（γ４）とが関係名（進化）を介して紐付けられ、２項関係に基づいてそれら対象項目どうしが連繋している。具体的には、（β１）→進化（γ１）、（β１）→進化（γ２）、（β１）→進化（γ３）、（β１）→進化（γ４）である。なお、（α１）の関係先対象項目は（α２）〜（α９）であり、（α１）の直接連繋数は（８）である。（α６）の関係先対象項目は（β１）〜（β３）であり、（α６）の直接連繋数は（３）である。（β１）の関係先対象項目は（γ１）〜（γ４）であり、（β１）の直接連繋数は（４）である。
【０１１２】
連繋データファイル名を指定した後、作成する関係図表のうち、（全件）、（特定の対象に関連するデータ）、（特定の対象の枝）のいずれかを指定するとともに、関係の定義されていない対象項目の描画の有無を指定し、関係名の表示の有無を指定する。図３０に示す放射状関係図表は、全件、関係の定義されていない対象項目の描画の無、関係名の表示の有を指定した図表である。関係の定義されていない対象項目の描画とは、関係線でつながれることなく、単独で存在する対象項目データをいい、関係名の表示とは、関係線に表示される関係名（進化、退化、変異等）をいう。
【０１１３】
それら条件を指定した後、関係図表作成ボタンをクリックし、関係図表作成をコンピュータ１０に指示する。コンピュータ１０は、指定された連繋データファイル名の連繋データを連繋データファイル１９から抽出し、抽出した連繋データの連携状態（２項関係）を参照しつつ、それら対象項目が有する直接連繋数をそれら対象項目毎に抽出する（直接連繋数抽出手段、直接連繋数抽出プロセス）。具体的にコンピュータ１０は、（α１）の直接連繋数（８）、（α６）の直接連繋数（３）、（β１）の直接連繋数（４）を抽出する。コンピュータ１０は、直接連繋数を抽出すると、直接連繋数の最も多い対象項目（第１対象項目）を先頭に配置し、その対象項目から直接連繋数が次第に少なくなる順に他の対象項目（第１対象項目）を配置し、それら対象項目を直接連繋数の多い順に並べる（対象項目整列手段、対象項目整列プロセス）。具体的には、（α１）、（α６）、（β１）の順に並べる。
【０１１４】
コンピュータ１０は、直接連繋数が１番多い第１対象項目（α１）とそれに直接連繋する第２対象項目（α２）〜（α９）とをグループ化して第１グループ（α１）〜（α９）に纏め、第１グループの第１対象項目（α１）を中心としてその周り方向に第２対象項目（α２）〜（α９）を配置し、（α１）の周り方向外方に仮想された円周Ｌ１上に（α２）〜（α９）が位置するように第１グループを放射状展開する。第２対象項目は、アルファベット順やあいうえお順等の所定の規則にしたがって第１対象項目の周りに配置される。図２９，３０では、（α２）〜（α９）が時計回り方向へ番号順に配置されている。
【０１１５】
コンピュータ１０は、展開した第１グループの第２対象項目に接する外接円Ｌ２を仮想し（図２９参照）、その外接円Ｌ２の直径Ｌ３を計算し、外接円Ｌ２の直径Ｌ３と同じ長さの辺Ｌ４を有する正四角形２１でディスプレイの二次平面２２を区分する（二次平面区分手段、二次平面区分プロセス）。図３０では、ディスプレイの二次平面２２が四角形２１によって９区画に区分されている。次に、コンピュータ１０は、展開した第１グループを二次平面２２の中央に画成された正四角形２１Ａの中に配分する（グループ展開配分手段、グループ展開配分プロセス）。
【０１１６】
第１グループを四角形２１Ａの中に配分した後、コンピュータ１０は、直接連繋数が２番目に多い第１対象項目（β１）とそれに直接連繋する第２対象項目（γ１）〜（γ４）とをグループ化して第２グループ（β１）、（γ１）〜（γ４）に纏め、第２グループの第１対象項目（β１）を中心としてその周り方向に第２対象項目（γ１）〜（γ４）を配置し、（β１）の周り方向外方に仮想された円周（図示せず）の上に（γ１）〜（γ４）が位置するように第２グループを放射状展開する。コンピュータ１０は、四角形２１Ａの直上に画成された四角形２１Ｂの中に、展開した第２グループを配分する（グループ展開配分手段、グループ展開配分プロセス）。展開した第１グループを四角形２１Ａの中に配分した後、コンピュータ１０は、直接連繋数が２番目に多い第１対象項目（α５）を抽出するが、（α５）はすでに第１グループとして展開かつ配分されているから、（α５）を中心とする放射状関係図表は作成せず、対象項目（β２）を四角形２１Ｂの右に画成された四角形２１Ｃの中に配分し、対象項目（β３）を四角形２１Ｃの直下に画成された四角形２１Ｄの中に配分する（グループ展開配分手段、グループ展開配分プロセス）。図３６では、第１グループを中心として他のグループや対象項目が時計回り方向へ内側から外側に向かって螺旋を画くように各四角形の中に配分される。
【０１１７】
コンピュータ１０は、すべての対象項目を展開するまでグループ化と放射状展開と各四角形への配分とを繰り返し、すべての対象項目を展開したと判断すると、対象項目どうしを関係線Ｌ５を介して結ぶことで、対象項目どうしの関係を表示した放射状関係図表を作成する（関係図表作成手段、関係図表作成プロセス）。コンピュータ１０は、作成した放射状関係図表を作成日時とともにデータベースの関係図表ファイル２０に格納する（関係図表格納手段、関係図表格納プロセス）。コンピュータ１０は、作成した放射状関係図表の出力指令があると、その関係図表をプリンタ（出力装置１５）を介して出力する（関係図表出力手段、関係図表出力プロセス）。
【０１１８】
なお、ディスプレイに表示された図３０の放射状関係図表の中から、四角形２１Ａをクリックすると、図２９に示すように、そこに配分された第１グループのみの放射状関係図表が作成され、その図表がディスプレイに表示される。また、図３０の放射状関係図表の中から、四角形２１Ｂをクリックすると、そこに配分された第２グループのみの放射状関係図表が作成され、その図表がディスプレイに表示される。この関係図表作成システムおよび関係図表作成方法は、不必要なグループを排除した放射状関係図表を作成することができ、必要なグループを展開した放射状関係図表を利用することで、必要なグループの対象項目どうしの関係内容を確実に把握することができる。関係図表作成システムおよび関係図表作成方法は、各グループのうちの少なくとも１つのグループの放射状関係図表を出力するから、必要なグループを展開した放射状関係図表を出力することで、必要なグループの対象項目どうしの関係内容を確実に把握することができる。
【０１１９】
図３１は、図３０の放射状関係図表をツリー状関係図表に変換した場合の図である。放射状関係図表が表示された図３０のディスプレイには、図示はしていないが、ツリー状関係図表変換ボタンが表示される。ツリー状関係図表変換ボタンをクリックすると、コンピュータ１０は、図３０の放射状関係図表をツリー状関係図表に変換し（関係図表変換手段、関係図表変換プロセス）、ツリー状関係図表を作成日時とともにデータベースの関係図表ファイル２０に格納する（関係図表格納手段、関係図表格納プロセス）。コンピュータ１０は、作成したツリー状関係図表の出力指令があると、その関係図表をプリンタ（出力装置１５）を介して出力する（関係図表出力手段、関係図表出力プロセス）。
【０１２０】
コンピュータ１０は、作成した放射状関係図表に基づき、二次平面２２の中央に画成された四角形２１Ａの中の対象項目（α１）を最上部に配置しつつ、（α１）の直下に対象項目（α２）〜（α９）を並列に並べ、関係線Ｌ５を介して（α１）と（α２）〜（α９）とを結び、（α１）とそれに直接連繋する（α２）〜（α９）のツリー状関係図表を作成する。次に、四角形２１Ａの中の対象項目（α６）の直下に対象項目（β１）〜（β３）を並列に並べ、関係線Ｌ５を介して（α６）と（β１）〜（β３）とを結び、（α６）とそれに直接連繋する（β１）〜（β３）のツリー状関係図表を作成する。さらに、四角形２１Ａの直上に画成された四角形２１Ｂの中の対象項目（β１）の直下に対象項目（γ１）〜（γ４）を並列に並べ、関係線Ｌ５を介して（β１）と（γ１）〜（γ４）とを結び、（β１）とそれに直接連繋する（γ１）〜（γ４）のツリー状関係図表を作成する。このように、二次平面の中央に画成された四角形２１Ａの中の第１グループの第１対象項目を最上位に位置させ、四角形２１Ａの中の他の対象項目に繋がる対象項目をさらにその直下に位置させ、四角形２１Ａから時計回り方向へ内側から外側に向かって螺旋を画いて並ぶ他の四角形の中の対象項目を、螺旋状に並ぶ四角形の順にツリー状に展開してツリー状関係図表を作成する。
【０１２１】
この関係図表作成システムおよび関係図表作成方法は、放射状関係図表を利用することで、特定の対象項目とその対象項目の周り方向に並ぶ他の対象項目との関係を明確に確認することができるから、特定の対象項目とそれに直接繋がる対象項目とを瞬時に把握することができる。さらに、放射状関係図表をツリー関係図表に変換することができるから、ツリー状関係図表を利用することで、対象項目どうしの上下の２項関係を明確に把握することができる。
【０１２２】
図２のメイン画面において、作成する関係図表の欄の（特定の対象に関連するデータ）のチェックボックスにチェックマークを入れ、特定の対象に対象項目（β１）を指定して関係図表を作成すると、特定の対象（β１）を含む連繋データから作成された放射状関係図表が作成される。この場合は、特定の対象（β１）に関連する対象項目（α１）〜（α９）、（β２）〜（β３）、（γ１）〜（γ４）を含む図３０と同様の放射状関係図表が作成される。コンピュータ１０は、（特定の対象に関連するデータ）について放射状関係図表を作成した後、その関係図表を作成日時とともに関係図表ファイル２０に格納する。この関係図表作成システムおよび関係図表作成方法は、特定の対象を指定すると、特定の対象項目とそれに関連する対象項目とのすべてを含む放射状関係図表を作成するから、各種複数の対象項目のうち、特定の対象を指定することで、それに関連するすべての対象項目を明確に把握することができる。
【０１２３】
図２のメイン画面において、作成する関係図表の欄の（特定の対象の枝）のチェックボックスにチェックマークを入れ、特定の対象に対象項目（β１）を指定して関係図表を作成すると、対象項目（β１）とそれから下位に延びる関係線Ｌ５につながった対象項目（γ１）〜（γ４）とから形成されたグループの放射状関係図表が作成される。具体的には、（β１）を中心としてそれの周り方向外方に（γ１）〜（γ４）が並び、（β１）と（γ１）〜（γ４）とが一方向第１関係線を介して繋がった放射状関係図表が作成される。コンピュータ１０は、（特定の対象の枝）について放射状関係図表を作成した後、その関係図表を作成日時とともに関係図表ファイル２０に格納する。この関係図表作成システムおよび関係図表作成方法は、特定の対象の枝を選択して特定の対象を指定すると、特定の対象項目とそれの下位に繋がる対象項目とを含む放射状関係図表を作成するから、各種複数の対象項目のうち、特定の対象の枝を指定することで、特定の対象項目の下位に繋がるすべての対象項目を明確に把握することができる。
【０１２４】
図３２は、連繋データファイルに格納された連繋データの他の一例を示す図であり、図３３は、すべてのグループを展開して作成された放射状関係図表を示す図である。図３３では、関係線Ｌ５に表示される関係名の図示を省略している。図３３に示す放射状関係図表は、図３２の連繋データに基づいて作成されている。図２のメイン画面のＤＢファイルエリアにおいて参照をクリックし、ＤＢファイルエリアに表示された複数の連繋データファイル名から関係図表を作成するための連繋データファイル名を指定する。指定された連繋データファイルでは、図３２に示すように、対象項目（α１）〜（α７），（β１）〜（β４），（γ１）が格納されている。連繋データファイルでは、対象項目（α１）と対象項目（α２）〜（α７）とが関係名（進化）を介して紐付けられ、２項関係に基づいてそれら対象項目どうしが連繋している。具体的には、（α１）→進化（α２）、（α１）→進化（α３）、（α１）→進化（α４）、（α１）→進化（α５）、（α１）→進化（α６）、（α１）→進化（α７）である。
【０１２５】
連繋データファイルでは、対象項目（α３）と対象項目（β１）〜（β４）とが関係名（進化）を介して紐付けられ、２項関係に基づいてそれら対象項目どうしが連繋している。具体的には、（α３）→進化（β１）、（α３）→進化（β２）、（α３）→進化（β３）、（α３）→進化（β４）である。さらに、対象項目（β４）と対象項目（γ１）とが関係名（進化）を介して紐付けられ、２項関係に基づいてそれら対象項目どうしが連繋している。具体的には、（β４）→進化（γ１）である。なお、（α１）の関係先対象項目は（α２）〜（α７）であり、（α１）の直接連繋数は（６）である。（α３）の関係先対象項目は（β１）〜（β４）であり、（α３）の直接連繋数は（４）である。（β４）の関係先対象項目は（γ１）であり、（β４）の直接連繋数は（１）である。
【０１２６】
条件を指定した後、関係図表作成ボタンをクリックし、関係図表作成をコンピュータ１０に指示する。図３３の放射状関係図表は、全件、関係の定義されていない対象項目の描画の無、関係名の表示の有を指定した図表である。コンピュータ１０は、指定された連繋データファイル名の連繋データを連繋データファイル１９から抽出し、抽出した連繋データの連携状態（２項関係）を参照しつつ、それら対象項目が有する直接連繋数をそれら対象項目毎に抽出する（直接連繋数抽出手段、直接連繋数抽出プロセス）。具体的にコンピュータ１０は、（α１）の直接連繋数（６）、（α３）の直接連繋数（４）、（β４）の直接連繋数（１）を抽出する。コンピュータ１０は、直接連繋数を抽出すると、直接連繋数の最も多い対象項目（第１対象項目）を先頭に配置し、その対象項目から直接連繋数が次第に少なくなる順に他の対象項目（第１対象項目）を配置し、それら対象項目を直接連繋数の多い順に並べる（対象項目整列手段、対象項目整列プロセス）。具体的には、（α１）、（α３）、（β４）の順に並べる。
【０１２７】
コンピュータ１０は、直接連繋数が１番多い第１対象項目（α１）とそれに直接連繋する第２対象項目（α２）〜（α７）とをグループ化して第１グループ（α１）〜（α７）に纏め、第１グループの第１対象項目（α１）を中心としてその周り方向に第２対象項目（α２）〜（α７）を配置し、（α１）の周り方向外方に仮想された円周（図示せず）の上に（α２）〜（α７）が位置するように第１グループを放射状展開する。（α２）〜（α７）は、時計回り方向へその番号順に配置される。
【０１２８】
コンピュータ１０は、展開した第１グループの第２対象項目（α２）〜（α７）に接する外接円（図示せず）を仮想し、その外接円の直径を計算し、外接円の直径と同じ長さの辺Ｌ４を有する正四角形２１でディスプレイの二次平面２２を区分する（二次平面区分手段、二次平面区分プロセス）。図３３では、ディスプレイの二次平面２２が四角形２１によって９区画に区分されている。次に、コンピュータ１０は、展開した第１グループを二次平面２２の中央に画成された四角形２１Ａの中に配分する（グループ展開配分手段、グループ展開配分プロセス）。
【０１２９】
第１グループを四角形２１Ａの中に配分した後、コンピュータ１０は、直接連繋数が２番目に多い第１対象項目（α３）を抽出するが、（α３）はすでに第１グループとして展開かつ配分されているから、（α３）を中心として（β１）〜（β４）を配置した放射状関係図表は作成しない。コンピュータ１０は、（α３）の次に直接連繋数が多い第１対象項目（β４）とそれに直接連繋する第２対象項目（γ１）とをグループ化して第２グループ（β４）、（γ１）に纏め、第２グループの第１対象項目（β４）を中心としてその周り方向に第２対象項目（γ１）を配置し、（β４）の周り方向外方に仮想された円周（図示せず）の上に（γ１）が位置するように第２グループを放射状展開する。コンピュータ１０は、四角形２１Ａの直上に画成された正四角形２１Ｂの中に展開した第２グループを配分する（グループ展開配分手段、グループ展開配分プロセス）。
【０１３０】
第２グループを四角形２１Ｂの中に配分した後、コンピュータ１０は、展開していない対象項目（β１）〜（β３）を抽出し、（β１）を四角形２１Ｂの右に画成された正四角形２１Ｃの中に配分し、対象項目（β２）を四角形２１Ｃの直下に画成された正四角形２１Ｄの中に配分するとともに、対象項目（β３）を四角形２１Ｄの直下に画成された正四角形２１Ｅの中に配分する（グループ展開配分手段、グループ展開配分プロセス）。図３３では、第１グループを中心として他のグループや対象項目が時計回り方向へ内側から外側に向かって螺旋を画くように各四角形の中に配分される。
【０１３１】
コンピュータ１０は、すべての対象項目を展開するまでグループ化と放射状展開と四角形への配分とを繰り返し、すべての対象項目を展開したと判断すると、対象項目どうしを関係線Ｌ５を介して結ぶことで、対象項目どうしの関係を表示した放射状関係図表を作成する（関係図表作成手段、関係図表作成プロセス）。コンピュータ１０は、作成した放射状関係図表を作成日時とともにデータベースの関係図表ファイル２０に格納する（関係図表格納手段、関係図表格納プロセス）。コンピュータ１０は、作成した放射状関係図表を出力指令が有ると、その関係図表をプリンタ（出力装置１５）を介して出力する（関係図表出力手段、関係図表出力プロセス）。
【０１３２】
図３４は、図３３の放射状関係図表をツリー状関係図表に変換した場合の図である。ツリー状関係図表変換ボタンをクリックすると、コンピュータ１０は、図３３の放射状関係図表をツリー状関係図表に変換し（関係図表変換手段、関係図表変換プロセス）、ツリー状関係図表を作成日時とともにデータベースの関係図表ファイル２０に格納する（関係図表格納手段、関係図表格納プロセス）。コンピュータ１０は、作成したツリー状関係図表の出力指令があると、その関係図表をプリンタ（出力装置１５）を介して出力する（関係図表出力手段、関係図表出力プロセス）。
【０１３３】
コンピュータ１０は、作成した放射状関係図表に基づき、二次平面２２の中央に画成された四角形２１Ａの中の対象項目（α１）を最上部に配置しつつ、（α１）の直下に対象項目（α２）〜（α７）を並列に並べ、関係線Ｌ５で（α１）と（α２）〜（α７）とを結び、（α１）とそれに直接連繋する（α２）〜（α７）のツリー状関係図表を作成する。次に、四角形２１Ａの中の対象項目（α３）の直下に対象項目（β１）〜（β４）を並列に並べ、関係線Ｌ５で（α３）と（β１）〜（β４）とを結び、（α３）とそれに直接連繋する（β１）〜（β４）のツリー状関係図表を作成する。さらに、四角形２１Ａの直上に画成された四角形２１Ｂの中の対象項目（β４）の直下に対象項目（γ１）を並べ、関係線Ｌ５で（β１）と（γ１）とを結び、（β１）とそれに直接連繋する（γ１）のツリー状関係図表を作成する。
【０１３４】
図３５は、他の一例の放射状関係図表を示す図である。この放射状関係図表では、直接連繋数が（５６）の第１グループが展開された状態で二次平面２２の中央に画成された正四角形２１Ａの中に配分されている。第１グループでは、第１対象項目の周り方向外方に仮想された円周（図示せず）のうち、内側の円周に２４個の第２対象項目が配置され、外側の円周に３２個の第２対象項目が配置されている。四角形２１Ａの直上に画成された四角形２１Ｂの中には、直接連繋数が４８個の第２グループが展開された状態で配分されている。第２グループでは、内側の円周に２４個の第２対象項目が配置され、外側の円周に２４個の第２対象項目が配置されている。
【０１３５】
四角形２１Ｂの右に画成された四角形２１Ｃの中には直接連繋数が３６個の第３グループが展開された状態で配分され、四角形２１Ｃの直下に画成された四角形２１Ｄの中には直接連繋数が２４個の第４グループが展開された状態で配分されている。さらに、四角形２１Ｄの直下に画成された四角形２１Ｅの中には直接連繋数が１８個の第５グループが展開された状態で配分され、四角形２１Ｅの左に画成された四角形２１Ｆの中には直接連繋数が８個の第６グループが展開された状態で配分され、さらに、四角形２１Ｆの左に画成された四角形２１Ｇの中には直接連繋数が４個の第７グループが展開された状態で配分されている。四角形２１Ｈ，２１Ｉには、対象項目が単独で配置されている。なお、内側に仮想された円周には２４個の第２対象項目を配置可能であり、その円周の直ぐ外側に仮想された円周には３２個の第２対象項目を配置可能であるとともに、その円周の直ぐ外側に仮想された円周には４０個の第２対象項目を配置可能である。
【０１３６】
図３６は、作成された関係図表から対象項目情報を表示させた場合の表示画面の一例を示す図である。図３６では、対象項目情報の表示を省略している。ディスプレイに表示された放射状関係図表（図２９，図３０，図３３）またはツリー状関係図表（図３１，図３２）において所定の対象項目（α１）をクリック（指定）すると、ディスプレイには、その対象項目（α１）に対する対象項目データ表示の指定画面が表示される。さらに、対象項目データ表示を選択すると、ディスプレイには、図３６に示すように、対象項目（α１）の基本データの詳細が表示される。なお、ハイパーリンクデータ（第１ハイパーリンクデータ）をクリックすると、対象項目にリンクするハイパーリンクデータがディスプレイに表示される。さらに、テキストタブをクリックすると、対象項目（α１）のテキストデータ（第１テキストデータ）の詳細がディスプレイに表示され（図示せず）、数値タブをクリックすると、対象項目（α１）の数値データ（第１数値データ）の詳細がディスプレイに表示される（図示せず）。
【０１３７】
この関係図表作成システムおよび関係図表作成方法は、対象項目に関する対象項目データの基本データをそれら対象項目毎に個別に出力することができるから、各対象項目の各種の属性情報を知ることができ、作成された関係図表から各対象項目を具体的に把握することができる。関係図表作成システムおよび関係図表作成方法は、対象項目に関するハイパーリンクデータを利用することで、対象項目にリンクするリンク情報を知ることができ、作成された関係図表から各対象項目を一層具体的に把握することができる。また、対象項目に関するテキストデータを利用することで、対象項目の各種テキスト情報を知ることができ、作成された関係図表から各対象項目を一層具体的に把握することができる。さらに、対象項目に関する数値データを利用することで、対象項目の各種数値情報を知ることができる。
【０１３８】
図３７は、作成された関係図表から関係内容情報を表示させた場合の表示画面の一例を示す図である。図３７では、関係内容情報の表示を省略している。ディスプレイに表示された放射状関係図表（図２９，図３０，図３３）またはツリー状関係図表（図３１，図３２）において対象項目（α６）と（β１）との間の関係線Ｌ５をクリックすると、ディスプレイには、その関係線Ｌ５に対する関係内容データ表示と連繋データ表示との指定画面が表示される。指定画面において関係内容データ表示を選択すると、ディスプレイには、図３７に示すように、関係線（進化）の関係内容データの基本データ詳細が表示される。なお、ハイパーリンクデータ（第２ハイパーリンクデータ）をクリックすると、関係内容データにリンクするハイパーリンクデータがディスプレイに表示される。さらに、テキストタブをクリックすると、関係内容データに関するテキストデータ（第２テキストデータ）の詳細がディスプレイに表示され（図示せず）、数値タブをクリックすると、関係内容データに関する数値データ（第２数値データ）の詳細がディスプレイに表示される（図示せず）。
【０１３９】
この関係図表作成システムおよび関係図表作成方法は、関係線に関する関係内容データの基本データをそれら関係線毎に個別に出力することができるから、各関係線が表す関係の内訳を知ることができ、作成された関係図表から対象項目どうしの関係内容を具体的に把握することができる。関係図表作成システムおよび関係図表作成方法は、関係内容に関するハイパーリンクデータを利用することで、関係内容にリンクするリンク情報を知ることができ、作成された関係図表から対象項目どうしの各関係を一層具体的に把握することができる。また、関係内容に関するテキストデータを利用することで、関係内容に関する各種のテキスト情報を知ることができ、作成された関係図表から対象項目どうしの各関係を一層具体的に把握することができる。さらに、関係内容に関する数値データを利用することで、対象項目どうしの各関係に関する各種の数値情報を知ることができる。
【０１４０】
図３８は、作成された関係図表から連繋情報を表示させた場合の表示画面の一例を示す図である。図３８では、連繋情報の表示を省略している。ディスプレイに表示された放射状関係図表（図２９，図３０，図３３）またはツリー状関係図表（図３１，図３２）において対象項目（α６）と（β１）との間の関係線Ｌ５をクリック（指定）すると、ディスプレイには、その関係線Ｌ５に対すると関係内容データ表示と連繋データ表示との指定画面が表示される。指定画面において連繋データ表示を選択すると、ディスプレイには、図３８に示すように、関係線（進化）の連繋データの基本データ詳細が表示される。関係が定義されていない対象項目では、その対象項目単独の基本データ詳細が表示される。なお、ハイパーリンクデータ（第３ハイパーリンクデータ）をクリックすると、連繋データにリンクするハイパーリンクデータがディスプレイに表示される。さらに、テキストタブをクリックすると、連繋データに関するテキストデータ（第３テキストデータ）の詳細がディスプレイに表示され（図示せず）、数値タブをクリックすると、連繋データに関する数値データ（第３数値データ）の詳細がディスプレイに表示される（図示せず）。
【０１４１】
この関係図表作成システムおよび関係図表作成方法は、関係図表において対象項目どうしの連繋データの基本データを出力することができるから、対象項目どうしの連繋状態を知ることができ、作成された関係図表から対象項目どうしの連繋状態を具体的に把握することができる。関係図表作成システムおよび関係図表作成方法は、連繋データに関するハイパーリンクデータを利用することで、連繋データに表示された対象項目にリンクするリンク情報を知ることができ、作成された関係図表か対象項目を一層具体的に把握することができる。また、連繋データに関するテキストデータを利用することで、連繋データに表示された対象項目の各種のテキスト情報を知ることができ、作成された関係図表から対象項目を一層具体的に把握することができる。さらに、連繋データに関する数値データを利用することで、連繋データに表示された対象項目の各種の数値情報を知ることができる。
【０１４２】
関係図表作成システムおよび関係図表作成方法は、展開したグループの対象項目どうしを関係線Ｌ５を介して一連につなげることで、第１対象項目と第１対象項目を中心としてそれに直接連繋する第２対象項目との関連付けが可能な放射状関係図表を作成することができ、かつ、対象項目どうしの関係内容を把握可能な放射状関係図表を作成することができる。この関係図表作成システムおよび関係図表作成方法は、関係線Ｌ５によって連繋する対象項目どうしの各種複数の連繋状態を利用することで、異なる種類の対象項目や同一の対象項目を自由に組み合わせた多種多様な放射状関係図表を作成することができる。
【０１４３】
この関係図表作成システムおよび関係図表作成方法は、対象項目データに含まれるすべての対象項目が二次平面２２に展開かつ配分され、放射状関係図表に表示されるから、関係図表からの対象項目の漏れを防ぐことができる。この関係図表作成システムおよび関係図表作成方法は、二次平面２２にすでに配分済みの対象項目が再度展開されることはないから、すでに配分済みの対象項目を中心とした放射状関係図表が作成されることなく、放射状関係図表の乱立による関係図表の不明確化や煩雑化を防ぐことができる。
【０１４４】
関係図表作成システムおよび関係図表作成方法は、直接連繋数の最も多いグループが二次平面２２の中央に画成された四角形２１Ａの中に放射状展開され、それから下位のグループが下位に向かって二次平面２２に画成された各四角形に内側から外側に向かって螺旋を画くように並べられ、それら四角形の中に放射状展開されるから、作成された放射状関係図表において直接連繋数の最も多いグループとそれから下位のグループとを容易かつ明確に識別することができる。この関係図表作成システムおよび関係図表作成方法は、連繋数が最も多い第１対象項目のグループを収容可能な四角形２１Ａで二次平面２２を分割するから、直接連繋数の最も多いグループの下位に連なる他のグループのすべての対象項目を各四角形の中で放射状展開することができる。
【図面の簡単な説明】
【０１４５】
【図１】関係図表作成方法を実施する一例として示す関係図表作成システムの構成図。
【図２】コンピュータのディスプレイに表示されたこのシステムのメイン画面の一例を示す図。
【図３】対象項目データや関係内容データ、連繋データを選択するＤＢメンテナンス画面の一例を示す図。
【図４】対象項目データファイルに対象項目データを格納する対象項目データの設定画面の一例を示す図。
【図５】対象項目データに関する基本データの追加画面の一例を示す図。
【図６】対象項目データに関するテキストデータの追加画面の一例を示す図。
【図７】対象項目データに関する数値データの追加画面の一例を示す図。
【図８】シェイプ設定画面の一例を示す図。
【図９】ステンシルとシェイプの選択画面の一例を示す図。
【図１０】画像ファイルの選択画面の一例を示す図。
【図１１】対象項目データが入力された後の対象項目データ設定画面の一例を示す図。
【図１２】対象項目データファイルに格納された基本データを変更する基本データ変更画面の一例を示す図。
【図１３】対象項目データファイルに格納された各種データを削除する場合の対象項目データ設定画面の一例を示す図。
【図１４】関係内容データファイルに関係内容データを格納する関係内容設定画面の一例を示す図。
【図１５】関係内容データに関する基本データの追加画面の一例を示す図。
【図１６】関係内容データに関するテキストデータの追加画面の一例を示す図。
【図１７】関係内容データに関する数値データの追加画面の一例を示す図。
【図１８】関係内容データが入力された後の関係内容データ設定画面の一例を示す図。
【図１９】関係内容データファイルに格納された基本データを変更する基本データ変更画面の一例を示す図。
【図２０】関係内容データファイルに格納された各種データを削除する場合の関係内容データ設定画面の一例を示す図。
【図２１】連繋データファイルに連繋データを格納する連繋データ設定画面の一例を示す図。
【図２２】連繋データに関する基本データの追加画面の一例を示す図。
【図２３】連繋データに関するテキストデータの追加画面の一例を示す図。
【図２４】連繋データに関する数値データの追加画面の一例を示す図。
【図２５】連繋データが入力された後の連繋データ設定画面の一例を示す図。
【図２６】連繋データファイルに格納された基本データを変更する変更画面の一例を示す図。
【図２７】連繋データファイルに格納された連繋データの各種データを削除する場合の連繋データ設定画面の一例を示す図。
【図２８】連繋データファイルに格納された連繋データの一例を示す図。
【図２９】直接連繋数が最も多い対象項目のグループのみを展開して作成された放射状関係図表を示す図。
【図３０】すべてのグループを展開して作成された放射状関係図表を示す図。
【図３１】図３６の放射状関係図表をツリー状関係図表に変換した場合の図。
【図３２】連繋データファイルに格納された連繋データの他の一例を示す図。
【図３３】すべてのグループを展開して作成された放射状関係図表を示す図。
【図３４】図３９の放射状関係図表をツリー状関係図表に変換した場合の図。
【図３５】他の一例の放射状関係図表を示す図。
【図３６】作成された関係図表から対象項目情報を表示させた場合の表示画面の一例を示す図。
【図３７】作成された関係図表から関係内容情報を表示させた場合の表示画面の一例を示す図。
【図３８】作成された関係図表から連繋情報を表示させた場合の表示画面の一例を示す図。
【符号の説明】
【０１４６】
１０    コンピュータ
１１    中央処理部
１２    メモリ
１３    ハードディスク
１４    入力装置
１５    出力装置
１７    対象項目データファイル
１８    関係内容データファイル
１９    連繋データファイル
２０    関係図表データファイル
Ｌ１    円周
Ｌ２    外接円
Ｌ３    直径
Ｌ４    辺
Ｌ５    関係線
【図１】
2009181404.tif 000003
【図２】
2009181404.tif 000004
【図３】
2009181404.tif 000005
【図４】
2009181404.tif 000006
【図５】
2009181404.tif 000007
【図６】
2009181404.tif 000008
【図７】
2009181404.tif 000009
【図８】
2009181404.tif 000010
【図９】
2009181404.tif 000011
【図１０】
2009181404.tif 000012
【図１１】
2009181404.tif 000013
【図１２】
2009181404.tif 000014
【図１３】
2009181404.tif 000015
【図１４】
2009181404.tif 000016
【図１５】
2009181404.tif 000017
【図１６】
2009181404.tif 000018
【図１７】
2009181404.tif 000019
【図１８】
2009181404.tif 000020
【図１９】
2009181404.tif 000021
【図２０】
2009181404.tif 000022
【図２１】
2009181404.tif 000023
【図２２】
2009181404.tif 000024
【図２３】
2009181404.tif 000025
【図２４】
2009181404.tif 000026
【図２５】
2009181404.tif 000027
【図２６】
2009181404.tif 000028
【図２７】
2009181404.tif 000029
【図２８】
2009181404.tif 000030
【図２９】
2009181404.tif 000031
【図３０】
2009181404.tif 000032
【図３１】
2009181404.tif 000033
【図３２】
2009181404.tif 000034
【図３３】
2009181404.tif 000035
【図３４】
2009181404.tif 000036
【図３５】
2009181404.tif 000037
【図３６】
2009181404.tif 000038
【図３７】
2009181404.tif 000039
【図３８】
2009181404.tif 000040